(57)【要約】【課題】部品が密接していたり複雑な形状をしている場合でも、不良位置と該不良位置が属する不良部品とを簡単な入力操作で入力できるようにする。【解決手段】不良位置と不良種別を入力するための不良入力装置。製品を特定する製品情報の入力手段、自領域内のポインタ有無検出機能を持つ複数の要素画像から構成される製品画像を所定位置に配して成る位置指定用画像を保持している画像記憶手段、前記画像記憶手段から位置指定用画像を読み出して位置指定ウインドウに表示する手段、前記位置指定ウインドウにて入力操作で指定されたポインタ位置を検出して不良位置として決定する手段、不良種別の入力手段、前記不良位置と前記不良位置を検出した要素画像と前記不良種別とを前記製品情報が指示する製品に対応付けて所定の製品データベースに記憶する手段を有する。【選択図】      図２
2004206352.tif 000002
【特許請求の範囲】
【請求項１】
製品の目視検査により認められた不良位置と不良種別を入力するための不良入力装置であって、
製品を特定する製品情報を入力するための製品情報入力手段と、
自領域内のポインタ有無検出機能を持つ複数の要素画像から構成される製品画像を所定位置に配して成る位置指定用画像を保持している画像記憶手段と、
前記画像記憶手段から位置指定用画像を読み出して位置指定ウインドウに表示する指定用画像表示手段と、
前記位置指定ウインドウにて入力操作で指定されたポインタ位置を検出して不良位置として決定するとともに該不良位置が属する要素画像を決定する不良位置決定手段と、
不良種別を入力するための不良種別入力手段と、
前記不良位置と前記不良位置を検出した要素画像と前記不良種別とを前記製品情報が指示する製品に対応付けて所定の製品データベースに記憶する不良記憶手段と、
を有することを特徴とする不良入力装置。
【請求項２】
請求項１に於いて、
前記不良種別入力手段は、
不良種別の候補を保持している不良候補記憶手段と、
前記不良候補記憶手段から不良種別の候補を読み出して種別選択ウインドウに表示する不良候補表示手段と、
前記種別選択ウインドウにて入力操作で選択された不良種別の候補を不良種別として決定する不良種別決定手段と、
を有することを特徴とする不良入力装置。
【請求項３】
請求項１又は請求項２に於いて、
前記要素画像は製品を構成する部品の画像であり、
前記不良位置を持つ要素画像に対応する部品を不良部品として決定する不良部品決定手段を更に有し、
前記不良記憶手段は、前記不良位置と前記不良位置を検出した要素画像と前記不良種別と前記不良部品とを前記製品情報が指示する製品に対応付けて前記製品データベースに記憶する、
ことを特徴とする不良入力装置。
【請求項４】
請求項３に於いて、
前記画像記憶手段は、同一機種の製品に関し各々視点の異なる製品画像を配した複数の位置指定用画像を保持しており、
製品の視点を指定するための視点入力手段を更に有し、
前記指定用画像表示手段は、前記視点入力手段により指定された視点の位置指定用画像を前記画像記憶手段から読み出して表示し、
前記不良記憶手段は、前記不良位置と前記不良位置を検出した要素画像と前記不良種別と前記不良部品とを前記製品情報が指示する製品と前記視点入力手段により指定された視点とに対応付けて前記製品データベースに記憶する、
ことを特徴とする不良入力装置。
【請求項５】
請求項４に於いて、
前記画像記憶手段が保持する複数の位置指定用画像の中で視点が関連性を有する位置指定用画像を関連付ける画像関連情報を保持している画像関連情報記憶手段を更に有し、
前記指定用画像表示手段は、前記視点入力手段により指定された視点の位置指定用画像と併せて、該位置指定用画像に前記画像関連情報で関連付けられている位置指定用画像を前記画像記憶手段から取得して付随的に表示する、
ことを特徴とする不良入力装置。
【請求項６】
請求項１〜請求項５の何れかに於いて、
前記画像記憶手段が保持する複数の要素画像の各々は自領域内のポインタの有無を検出可能な所定の領域記述式を持つ１又は２以上の図形要素から構成されており、各図形要素の領域記述式を用いた検出結果の論理和を当該要素画像内のポインタの有無とする、
ことを特徴とする不良入力装置。
【請求項７】
請求項１〜請求項６の何れかに於いて、
前記画像記憶手段が保持する複数の要素画像の各々は優先順位を持ち、同一の位置指定用画像内で要素画像が重複する領域では高い優先順位を持つ要素画像を当該位置指定用画像内の製品画像の構成要素として用いる、
ことを特徴とする不良入力装置。
【請求項８】
請求項１〜請求項７の何れかに於いて、
さらに、前記不良位置と前記不良位置を検出した要素画像と前記不良種別とを前記製品情報が指示する製品に対応付けて所定のラベルプリンタに出力する不良出力手段、
を有することを特徴とする不良入力装置。
【請求項９】
不良位置と不良種別が表示されている製品に対して施した修理を入力するための修理入力装置であって、
製品を特定する製品情報を入力するための製品情報入力手段と、
複数の要素画像から構成される製品画像を所定位置に配して成る位置表示用画像を保持している画像記憶手段と、
不良位置と不良位置を検出した要素画像と不良種別とを製品に対応付けて保持している製品データベースと、
前記画像記憶手段から位置表示用画像を読み出して位置表示ウインドウに表示する表示用画像表示手段と、
前記製品情報が指示する製品に対応付けられている不良位置と不良位置を検出した要素画像とを前記製品データベースから取得して前記位置表示ウインドウに表示される位置表示用画像上に表示する不良位置表示手段と、
前記製品情報が指示する製品に対応付けられている不良種別を前記製品データベースから取得して種別表示ウインドウに表示する不良種別表示手段と、
修理内容を入力するための修理内容入力手段と、
前記修理内容を前記製品情報が指示する製品に対応付けて前記製品データベースに記憶する修理記憶手段と、
を有することを特徴とする修理入力装置。
【請求項１０】
請求項９に於いて、
前記修理内容入力手段は、
修理内容の候補を保持している修理候補記憶手段と、
前記修理候補記憶手段から修理内容の候補を取得して内容選択ウインドウに表示する修理候補表示手段と、
前記内容選択ウインドウにて入力操作で選択された修理内容の候補を修理内容として決定する修理内容決定手段と、
を有することを特徴とする修理入力装置。
【請求項１１】
請求項９又は請求項１０に於いて、
前記要素画像は製品を構成する部品の画像であり、
前記不良位置を検出した要素画像に対応する部品を修理部品として決定する修理部品決定手段を更に有し、
前記修理記憶手段は、前記修理内容と前記修理部品とを前記製品情報が指示する製品に対応付けて前記製品データベースに記憶する、
ことを特徴とする修理入力装置。
【請求項１２】
請求項９〜請求項１１の何れかに於いて、
前記画像記憶手段は、同一機種の製品に関し各々視点の異なる製品画像を配した複数の位置表示用画像を保持しており、
前記製品データベースは、不良位置と不良位置を検出した要素画像と不良種別を製品と位置表示用画像を規定する視点とに対応付けて保持しており、
前記表示用画像表示手段は、前記製品情報が指示する製品に対応付けられている視点により規定される位置表示用画像を前記画像記憶手段から読み出して位置表示ウインドウに表示する、
ことを特徴とする修理入力装置。
【請求項１３】
請求項９〜請求項１２の何れかに於いて、
前記画像記憶手段が保持する複数の要素画像の各々は１又は２以上の図形要素から構成されている、
ことを特徴とする修理入力装置。
【請求項１４】
請求項９〜請求項１３の何れかに於いて、
前記画像記憶手段が保持する複数の要素画像の各々は優先順位を持ち、同一の位置表示用画像内で要素画像が重複する領域では高い優先順位を持つ要素画像を当該位置表示用画像内の製品画像の構成要素として用いる、
ことを特徴とする修理入力装置。
【請求項１５】
集計対象の製品の不良を集計して集計結果と不良位置を表示するための不良集計・表示装置であって、
複数の要素画像から構成される製品画像を所定位置に配して成る位置表示用画像を保持している画像記憶手段と、
不良位置と不良位置を検出した要素画像と不良種別とを製品に対応付けて保持している製品データベースと、
集計対象の各製品に対応付けられている不良種別と不良位置と不良位置を検出した要素画像とを前記製品データベースから取得して不良種別毎に且つ不良位置を検出した要素画像毎に集計する不良集計手段と、
前記不良集計手段による集計結果を不良選択ウインドウに不良種別毎且つ不良位置を検出した要素画像毎に選択可能に表示する集計不良表示手段と、
前記不良選択ウインドウにて入力操作で選択された不良種別且つ不良位置を検出した要素画像を表示対象不良として決定する表示不良決定手段と、
前記画像記憶手段から位置表示用画像を読み出して位置表示ウインドウに表示する表示用画像表示手段と、
集計対象の各製品に対応付けられている不良位置であって前記表示対象不良に該当する不良位置を前記製品データベースから取得して前記位置表示ウインドウに表示される位置表示用画像上にそれぞれ表示する不良位置表示手段と、
を有することを特徴とする不良集計・表示装置。
【請求項１６】
請求項１５に於いて、
前記表示不良決定手段は、前記不良選択ウインドウにて入力操作で不良種別且つ不良位置を検出した要素画像が選択されるまでは、集計対象の各製品に対応付けられている不良の中で最新に対応付けられた不良種別且つ不良位置を検出した要素画像を表示不良として決定する、
ことを特徴とする不良表示装置。
【請求項１７】
請求項１５又は請求項１６に於いて、
前記要素画像は製品を構成する部品の画像である、
ことを特徴とする不良表示装置。
【請求項１８】
請求項１５〜請求項１７の何れかに於いて、
前記画像記憶手段は、同一機種の製品に関し各々視点の異なる製品画像を配した複数の位置表示用画像を保持しており、
前記製品データベースは、不良位置と不良位置を検出した要素画像と不良種別とを製品と位置表示用画像を規定する視点とに対応付けて保持しており、
前記表示用画像表示手段は、前記表示不良に該当する不良種別且つ不良位置を検出した要素画像が対応付けられている視点により規定される位置表示用画像を前記画像記憶手段から取得して位置表示ウインドウに表示する、
ことを特徴とする不良表示装置。
【請求項１９】
請求項１５〜請求項１８の何れかに於いて、
前記画像記憶手段が保持する複数の要素画像の各々は１又は２以上の図形要素から構成されている、
ことを特徴とする不良表示装置。
【請求項２０】
請求項１５〜請求項１９の何れかに於いて、
前記画像記憶手段が保持する複数の要素画像の各々は優先順位を持ち、同一の位置表示用画像内で要素画像が重複する領域では高い優先順位を持つ要素画像を当該位置表示用画像内の製品画像の構成要素として用いる、
ことを特徴とする不良表示装置。
【請求項２１】
不良入力装置で入力し、不良集計装置で集計した製品不良の集計結果を、無線ネットワークを介して不良表示装置へ送信して、該不良表示装置にて表示する製品不良報知システムであって、
前記不良入力装置は、製品を特定する製品情報を入力するための製品情報入力手段と、不良位置を該不良位置が属する要素画像とともに入力するための不良位置入力手段と、不良種別を入力するための不良種別入力手段と、前記不良位置と前記不良位置が属する要素画像と前記不良種別とを前記製品情報が指示する製品に対応付けて所定の製品データベースに記憶する不良記憶手段とを有し、
前記不良集計装置は、集計対象の各製品に対応付けられている不良位置と不良位置が属する要素画像と不良種別とを前記製品データベースから取得して不良位置が属する要素画像毎に且つ不良種別毎に集計する不良集計手段と、無線ネットワークとの間でデータを送受信する機能を有し前記不良集計手段による集計結果を所定の１又は２以上の宛て先を付して無線ネットワークへ送出する無線端末手段とを有し、
前記不良表示装置は、無線ネットワークとの間でデータを送受信する機能を有する無線端末手段と、前記無線端末手段により無線ネットワークから受信された集計結果を表示する表示手段とを有する、
ことを特徴とする製品不良報知システム。
【請求項２２】
請求項２１に於いて、
前記不良集計装置は、前記１又は２以上の各宛て先に関してそれぞれ前記不良位置が属する要素画像毎の且つ前記不良種別毎の集計の閾値を持つ閾値記憶手段と、閾値を越えた集計結果を該閾値を越えた集計結果に対応する宛て先へ送信することを許可する送信可否決定手段と、を更に有する、
ことを特徴とする製品不良報知システム。
【請求項２３】
請求項２１又は請求項２２に於いて、
前記製品データベースはサーバ装置に設けられており、
前記サーバ装置と前記不良入力装置、及び、前記サーバ装置と前記不良集計装置とは、ＬＡＮを介してデータ送受信可能に構成されている、
ことを特徴とする製品不良報知システム。
【請求項２４】
請求項２１〜請求項２３の何れかに於いて、
前記不良表示装置は携帯電話機である、
ことを特徴とする製品不良報知システム。
【請求項２５】
製品の不良情報を入力して製品データベースに記憶するための不良入力装置と、前記製品データベースが設けられているサーバ装置と、前記サーバ装置から取得した修理対象製品の不良情報を表示するとともに修理内容を入力するための修理入力装置と、前記サーバ装置から取得した集計対象製品の不良情報を集計して表示する不良集計・表示装置とを、ＬＡＮを介してデータ送受信可能に接続して成る製品不良処理システムであって、
前記不良入力装置は、製品を特定する製品情報を入力するための製品情報入力手段と、不良位置と該不良位置が属する要素画像とを入力するための不良位置入力手段と、不良種別を入力するための不良種別入力手段と、前記不良位置と前記不良位置が属する要素画像と前記不良種別とを前記製品情報が指示する製品に対応付けて前記製品データベースに記憶する不良記憶手段とを有し、
前記修理入力装置は、製品を特定する製品情報を入力するための製品情報入力手段と、前記製品情報が指示する製品に対応付けて記憶されている不良種別と不良位置と不良位置が属する要素画像とを前記製品データベースから取得する不良情報取得手段と、前記取得した不良種別と不良位置と不良位置が属する要素画像とを表示する不良情報表示手段と、修理内容を入力するための修理内容入力手段と、前記修理内容を前記製品情報が指示する製品に対応付けて前記製品データベースに記憶する修理記憶手段とを有し、
前記不良集計・表示装置は、集計対象の各製品に対応付けられている不良種別と不良位置と不良位置が属する要素画像とを前記製品データベースから取得して不良種別毎に且つ不良位置が属する要素画像毎に集計する不良集計手段と、前記不良集計手段による集計結果を不良種別毎に且つ不良位置が属する要素画像毎に表示する不良表示手段とを有する、
ことを特徴とする製品不良処理システム。
【請求項２６】
請求項２５に於いて、
前記不良入力装置の不良位置入力手段は、
自領域内のポインタ有無検出機能を持つ複数の要素画像から構成される製品画像を所定位置に配して成る位置指定用画像を保持している画像記憶手段と、
前記画像記憶手段から位置指定用画像を読み出して位置指定ウインドウに表示する指定用画像表示手段と、
前記位置指定ウインドウにて入力操作で指定されたポインタ位置を検出して不良位置として決定する不良位置決定手段と、
を有することを特徴とする製品不良処理システム。
【請求項２７】
請求項２５又は請求項２６に於いて、
前記修理入力装置の不良情報表示手段は、
複数の要素画像から構成される製品画像を所定位置に配して成る位置表示用画像を保持している画像記憶手段と、
前記画像記憶手段から位置表示用画像を読み出して位置表示ウインドウに表示する表示用画像表示手段と、
前記製品データベースから取得した不良位置を前記位置表示ウインドウに表示される位置表示用画像上に表示する不良位置表示手段と、
前記製品データベースから取得した不良種別を種別表示ウインドウに表示する不良種別表示手段と、
を有することを特徴とする製品不良処理システム。
【請求項２８】
請求項２５〜請求項２７の何れかに於いて、
前記不良集計・表示装置の不良表示手段は、
複数の要素画像から構成される製品画像を所定位置に配して成る位置表示用画像を保持している画像記憶手段と、
前記不良集計手段による集計結果を不良選択ウインドウに不良種別毎且つ不良位置が属する要素画像毎に選択可能に表示する集計不良表示手段と、
前記不良選択ウインドウにて入力操作で選択された不良種別且つ不良位置が属する要素画像を表示対象不良として決定する表示不良決定手段と、
前記画像記憶手段から位置表示用画像を読み出して位置表示ウインドウに表示する表示用画像表示手段と、
集計対象の各製品に対応付けられている不良位置であって前記表示対象不良に該当する不良位置を前記製品データベースから読み出して前記位置表示ウインドウに表示される位置表示用画像上にそれぞれ表示する不良位置表示手段と、
を有することを特徴とする製品不良処理システム。
【請求項２９】
コンピュータを、
所定の入力装置から入力される製品情報を取得する製品情報取得手段、
所定の表示装置上に位置指定ウインドウを確保し、自領域内のポインタ有無検出機能を持つ複数の要素画像から構成される検査対象機種の製品画像を所定位置に配して成る位置指定用画像を所定の画像記憶手段から読み出して表示する指定用画像表示手段、
所定のポインティング装置により前記位置指定ウインドウにて指定されたポインタ位置を前記ポインタ位置検出機能を用いて検出して不良位置として決定する不良位置決定手段、
所定の入力装置から入力される不良種別を取得する不良種別取得手段、
前記不良位置と前記不良位置が検出された要素画像と前記不良種別とを前記製品情報が指示する特定の製品に対応付けて所定の製品データベースに記憶する不良記憶手段、
として機能させるためのプログラム。
【請求項３０】
コンピュータを、
所定の入力装置から入力される製品情報を取得する製品情報取得手段、
所定の表示装置上に位置表示ウインドウを確保し、複数の要素画像から構成される検査対象機種の製品画像を所定位置に配して成る位置表示用画像を所定の画像記憶手段から読み出して表示する表示用画像表示手段、
前記製品情報が指示する特定の製品に対応付けられている不良位置と不良位置が検出された要素画像とを所定の製品データベースから取得して前記位置表示用画像上に表示する不良位置表示手段、
所定の表示装置上に種別表示ウインドウを確保し、前記製品情報が指示する特定の製品に対応付けられている不良種別を前記製品データベースから取得して表示する不良種別表示手段、
所定の入力装置から入力される修理内容を取得する修理内容取得手段、
前記修理内容を前記製品情報が指示する特定の製品に対応付けて前記製品データベースに記憶する修理記憶手段、
として機能させるためのプログラム。
【請求項３１】
コンピュータを、
集計対象の製品の製品情報を取得する製品情報取得手段、
前記取得した各製品情報に対応付けられている不良種別と不良位置と不良位置が検出された要素画像とを所定の製品データベースから取得して不良種別毎に且つ不良位置が検出された要素画像毎に集計する不良集計手段、
所定の表示装置上に不良選択ウインドウを確保し、前記不良集計手段による集計結果を不良種別毎且つ不良位置が検出された要素画像毎に選択可能に表示する集計不良表示手段、
所定の入力装置からの入力により前記不良選択ウインドウにて選択された不良種別且つ不良位置が検出された要素画像を表示対象不良として決定する表示不良決定手段、
所定の表示装置上に位置表示ウインドウを確保し、複数の要素画像から構成される集計対象機種の製品画像を所定位置に配して成る位置表示用画像を所定の画像記憶手段から読み出して表示する表示用画像表示手段、
前記取得した各製品情報に対応付けられている不良位置であって前記表示対象不良に該当する不良位置を、前記製品データベースから取得して、前記位置表示用画像上にそれぞれ表示する不良位置表示手段、
として機能させるためのプログラム。
【請求項３２】
サーバコンピュータを、ＬＡＮから受信される不良情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の表示装置上に位置指定ウインドウを確保して自領域内のポインタ有無検出機能を持つ複数の要素画像から構成される検査対象機種の製品画像を所定位置に配して成る位置指定用画像を所定の画像記憶手段から読み出して表示する指定用画像表示手段、所定のポインティング装置により前記位置指定ウインドウにて入力される不良位置と該不良位置が属する要素画像とを取得する不良位置取得手段、所定の入力装置から入力される不良種別を取得する不良種別取得手段、前記不良位置取得手段により取得した不良位置及び該不良位置が属する要素画像と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
集計部門のコンピュータを、集計対象の製品の製品情報を取得する製品情報取得手段、前記製品情報取得手段により取得した各製品情報に対応付けられている不良位置と不良位置が属する要素画像と不良種別とをＬＡＮを介して前記サーバコンピュータに要求して取得する不良情報取得手段、前記不良情報取得手段により取得した各製品情報に対応付けられている不良情報を不良位置が属する要素画像毎に且つ不良種別毎に集計する不良情報集計手段、前記不良情報集計手段により集計した結果を集計結果情報として所定の１又は２以上の宛て先を付して所定の無線ネットワークへ送出する送信制御手段、として機能させるためのプログラムと、
携帯無線端末装置のコンピュータを、前記無線ネットワークから受信される集計結果情報を取得する集計結果取得手段、所定の表示装置上に集計結果表示領域を確保して前記集計結果情報を表示する集計結果表示手段、として機能させるためのプログラムと、
を有するプログラム。
【請求項３３】
サーバコンピュータを、ＬＡＮから受信される不良情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の入力装置から入力される不良位置及び不良位置が属する不良部品を取得する不良位置取得手段、所定の入力装置から入力される不良種別を取得する不良種別取得手段、前記不良位置取得手段により取得した不良位置及び不良部品と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
集計部門のコンピュータを、集計対象の製品の製品情報を取得する製品情報取得手段、前記製品情報取得手段により取得した各製品情報に対応付けられている不良位置と不良部品と不良種別とをＬＡＮを介して前記サーバコンピュータに要求して取得する不良情報取得手段、前記不良情報取得手段により取得した各製品情報に対応付けられている不良情報を部品毎に且つ不良種別毎に集計する不良情報集計手段、前記不良情報集計手段により集計した結果を集計結果情報として所定の１又は２以上の宛て先を付して所定の無線ネットワークへ送出する送信制御手段、として機能させるためのプログラムと、
携帯無線端末装置のコンピュータを、前記無線ネットワークから受信される集計結果情報を取得する集計結果取得手段、所定の表示装置上に集計結果表示領域を確保して前記集計結果情報を表示する集計結果表示手段、として機能させるためのプログラムと、
を有するプログラム。
【請求項３４】
サーバコンピュータを、ＬＡＮから受信される不良情報又は修理情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の表示装置上に位置指定ウインドウを確保して自領域内のポインタ有無検出機能を持つ複数の要素画像から構成される検査対象機種の製品画像を所定位置に配して成る位置指定用画像を所定の画像記憶手段から読み出して表示する指定用画像表示手段、所定のポインティング装置により前記位置指定ウインドウにて入力される不良位置と該不良位置が属する要素画像とを取得する不良位置取得手段、所定の入力装置から入力される不良種別を取得する不良種別取得手段、前記不良位置取得手段により取得した不良位置及び該不良位置が属する要素画像と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
修理部門のコンピュータを、所定の入力装置から入力される製品情報を取得する製品情報取得手段、前記製品情報取得手段により取得した製品情報に対応付けられている不良位置と不良位置が属する要素画像と不良種別とをＬＡＮを介して前記サーバコンピュータに要求して取得する不良情報取得手段、所定の表示装置上に位置表示ウインドウを確保して複数の要素画像から構成される修理対象機種の製品画像を所定位置に配して成る位置表示用画像を所定の画像記憶手段から読み出して表示する表示用画像表示手段、前記不良情報取得手段により取得した不良位置を前記位置表示用画像上に表示する不良位置表示手段、所定の表示装置上に種別表示ウインドウを確保して前記不良情報取得手段により取得した不良種別を表示する不良種別表示手段、所定の入力装置から入力された修理内容を取得する修理内容取得手段、前記修理内容取得手段により取得した修理内容を前記製品情報取得手段により取得した製品情報が指示する特定の製品に対応付けて前記サーバコンピュータ宛ての修理情報としてＬＡＮへ送出する修理情報送信手段、として機能させるためのプログラムと、
集計・表示部門のコンピュータを、集計対象の製品の製品情報を取得する製品情報取得手段、前記製品情報取得手段により取得した各製品情報に対応付けられている不良位置と不良位置が属する要素画像と不良種別とをＬＡＮを介して前記サーバコンピュータに要求して取得する不良情報取得手段、前記不良情報取得手段により取得した不良情報を不良位置が属する要素画像毎に且つ不良種別毎に集計する不良情報集計手段、所定の表示装置上に位置表示ウインドウを確保して複数の要素画像から構成される集計対象機種の製品画像を所定位置に配して成る位置表示用画像を所定の画像記憶手段から読み出して表示する表示用画像表示手段、前記不良情報集計手段により要素画像毎に且つ不良種別毎に集計した不良位置であって指定された要素画像且つ不良種別の各不良位置を前記位置表示用画像上に表示する不良位置表示手段、所定の表示装置上に種別表示ウインドウを確保して前記不良情報集計手段により要素画像毎に且つ不良種別毎に集計した不良種別を表示する不良種別表示手段、として機能させるためのプログラムと、
を有するプログラム。
【請求項３５】
サーバコンピュータを、ＬＡＮから受信される不良情報又は修理情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の入力装置から入力される不良位置と不良位置が属する不良部品を取得する不良位置取得手段、所定の入力装置から入力される不良種別を取得する不良種別取得手段、前記不良位置取得手段により取得した不良位置及び不良部品と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
修理部門のコンピュータを、所定の入力装置から入力される製品情報を取得する製品情報取得手段、前記製品情報取得手段により取得した製品情報に対応付けられている不良位置と該不良位置が属する不良部品と不良種別とをＬＡＮを介して前記サーバコンピュータに要求して取得する不良情報取得手段、所定の表示装置上に位置表示ウインドウを確保して複数の要素画像から構成される修理対象機種の製品画像を所定位置に配して成る位置表示用画像を所定の画像記憶手段から読み出して表示する表示用画像表示手段、前記不良情報取得手段により取得した不良位置を前記位置表示用画像上に表示する不良位置表示手段、所定の表示装置上に種別表示ウインドウを確保して前記不良情報取得手段により取得した不良種別を表示する不良種別表示手段、所定の入力装置から入力された修理内容を取得する修理内容取得手段、前記修理内容取得手段により取得した修理内容を前記製品情報取得手段により取得した製品情報が指示する特定の製品に対応付けて前記サーバコンピュータ宛ての修理情報としてＬＡＮへ送出する修理情報送信手段、として機能させるためのプログラムと、
集計・表示部門のコンピュータを、集計対象の製品の製品情報を取得する製品情報取得手段、前記製品情報取得手段により取得した各製品情報に対応付けられている不良位置と不良位置が属する不良部品と不良種別とをＬＡＮを介して前記サーバコンピュータに要求して取得する不良情報取得手段、前記不良情報取得手段により取得した不良情報を不良位置が属する不良部品毎に且つ不良種別毎に集計する不良情報集計手段、所定の表示装置上に位置表示ウインドウを確保して複数の要素画像から構成される集計対象機種の製品画像を所定位置に配して成る位置表示用画像を所定の画像記憶手段から読み出して表示する表示用画像表示手段、前記不良情報集計手段により不良部品毎に且つ不良種別毎に集計した不良位置であって指定された部品且つ不良種別の各不良位置を前記位置表示用画像上に表示する不良位置表示手段、所定の表示装置上に種別表示ウインドウを確保して前記不良情報集計手段により不良部品毎に且つ不良種別毎に集計した不良種別を表示する不良種別表示手段、として機能させるためのプログラムと、
を有するプログラム。
【発明の詳細な説明】
【０００１】
【発明の属する技術分野】
本発明は、製品の目視検査により認められた不良位置と不良種別を入力するための不良入力装置、不良位置と不良種別が表示されている製品に対して施した修理を入力するための修理入力装置、集計対象の製品の不良を集計して集計結果と不良位置を表示するための不良表示装置、不良入力装置で入力し不良集計装置で集計した製品不良の集計結果を無線ネットワークを介して不良表示装置へ送信して表示する製品不良報知システム、不良入力装置と製品データベースが設けられているサーバ装置と修理入力装置と不良表示装置とをＬＡＮを介して接続して成る製品不良処理システム、及び、これらの装置やシステムとしてコンピュータを機能させるためのプログラムに関する。
【０００２】
【従来の技術】
プリント基板上に相互に離して実装された各部品の中央位置をそれぞれ当該部品の座標として保持しておき、上記プリント基板を示す画像上でユーザにより指示入力された座標を上記各部品の座標と比較して、最も近い座標を持つ部品がユーザにより指示入力された（＝不良部品として入力された）ものとして処理する装置が知られている（特許文献１参照）。
【０００３】
【特許文献１】
特開２０００−１３１２４２。
【０００４】
検査部門で入力した製品の不良位置や不良部品を要修理製品に添付して修理部門に送ることで修理に役立てたり、或る期間内の不良の発生を不良種別毎・不良部品毎に集計して管理部門に送ることで速やかな対策を行い得るようにした装置もしくはシステムや、これらの装置もしくはシステムとしてコンピュータを機能させるためのプログラムは知られていない。
【０００５】
【発明が解決しようとする課題】
特許文献１の装置は、部品の中央位置を該部品の座標として保持し、各部品を表す座標との遠近関係に基づいて不良位置として指示された点が属する部品を判別しているため、部品相互が密接していたり、部品が複雑な形状をしている場合には、採用することができない。
本発明の目的は、各種部品を組み付けて製造された製品のように、部品相互が密接していたり、部品が複雑な形状をしているような場合でも、不良位置を当該製品の画像上で指示するという簡単な入力操作により、該不良位置と該不良位置が属する不良部品とを入力できるようにすることにある。
【０００６】
本発明の別の目的は、修理部門に送られてきた製品の不良位置や不良部品を該製品の画像上で容易に視認できるようにして修理部門での作業を容易化し、さらに修理内容を蓄積して製造ラインの改善等に役立てることにある。
また、本発明の更なる目的は、或る期間内の製品不良を、不良種別毎・部品毎に集計して、当該製品の画像上に表示することで、製造管理部門や品質保証部門での業務に役立てることにある。
【０００７】
【課題を解決するための手段】
本発明は、例えば、下記［１］〜［５８］のように構成される。
［１］  製品の目視検査により認められた不良位置と不良種別を入力するための不良入力装置であって、
製品を特定する製品情報を入力するための製品情報入力手段と、
自領域内のポインタ有無検出機能を持つ複数の要素画像から構成される製品画像を所定位置に配して成る位置指定用画像を保持している画像記憶手段と、
前記画像記憶手段から位置指定用画像を読み出して位置指定ウインドウに表示する指定用画像表示手段と、
前記位置指定ウインドウにて入力操作で指定されたポインタ位置を検出して不良位置として決定するとともに該不良位置が属する要素画像を決定する不良位置決定手段と、
不良種別を入力するための不良種別入力手段と、
前記不良位置と前記不良位置を検出した要素画像と前記不良種別とを前記製品情報が指示する製品に対応付けて所定の製品データベースに記憶する不良記憶手段と、
を有することを特徴とする不良入力装置。
即ち、検査部門に配置される装置である。
【０００８】
製品情報は、例えば、製品に貼付されたバーコードとして記録されている。製品情報は、ＩＤ、機種名、ユニークなロット番号等、当該製品の特定に必要な情報である。製品情報入力手段は、例えば、バーコードを読み込むことで製品情報を入力する。入力は、自動と手動の何れであってもよい。
【０００９】
製品画像とは、検査対象の製品のみの画像（背景を含まない画像）である。例えば、製品の正面を撮影した（又は「描いた」；以下同様）背景を除く画像、製品の上面を撮影した背景を除く画像、製品の側面を撮影した背景を除く画像、製品の背面を撮影した背景を除く画像、製品の底面を撮影した背景を除く画像等である。さらに、例えば、製品が開閉扉や開閉蓋等の可動部分を有する場合は、該可動部分の動作前後の各状態を撮影した背景を除く画像である。例えば、製品がカメラであれば、レンズ蓋を開いた状態で撮影した背景を除く画像等である。また、製品がデジタルカメラであれば、電池・記録媒体等の収納扉を開いた状態で撮影した背景を除く画像等、である。なお、これらの製品画像や製品は例示であり、本発明はこれらの製品画像や製品に限定されない。また、製品が最終製品である必要もなく、製品が更なる大型製品の部品であってもよい。
位置指定用画像とは、製品画像に背景を付加した画像である。なお、背景領域は、小さく、無地であることが望ましい。
製品画像は、要素画像で構成される。要素画像とは、例えば、当該製品の部品の画像である。例えば、製品がカメラであり、製品画像が製品の正面を撮影した背景を除く画像である場合、該製品画像は、レンズ、キャビフロント、ストロボ等、カメラ正面に配置されている各部品の画像（要素画像）から構成される。
【００１０】
ポインタ有無検出機能は、ポインタの現在座標が、要素画像内領域を記述する領域記述式で記述される座標であるか否かを判別する機能である。ポインタの現在座標が或る要素画像内領域を記述する領域記述式で記述される座標である場合には、該現在座標は、当該或る要素画像内領域に位置するとして検出される。なお、ポインタによる座標指示は、マウス、ディジタイザ等、公知のポインティングデバイスを用いて行うことができる。
領域記述式は、要素画像の形状（例えば「部品の形状」）が単純な場合には単純な式で与えられる。しかし、要素画像の形状が複雑になると領域記述式も複雑になり、領域記述式を与え得ない場合も生ずる。そのような場合等には、要素画像を単純な図形、例えば、円、楕円、多角形等、領域記述式を定義できる単純な図形の合成として定義すればよい。即ち、領域の一部重複を許して単純な図形を合成して目的の要素画像と同じ外形状の領域を作成し、該合成領域の領域記述式として、各図形領域の領域記述式の論理和をとればよい。
また、他の要素画像（例えば「別の部品」）により目的の要素画像の一部領域が覆われるため、単純図形の合成のみでは合成領域の外形状を目的の要素画像の外形状に合致させ得ない場合には、当該重なりを持つ二つの要素画像をそれぞれ異なるレイヤー上に形成し、目的の製品画像上で前面に位置する要素画像のレイヤーを前面側に配置すればよい。即ち、要素画像に優先順位を付して、前面側に位置する要素画像の優先順位を高順位に設定すればよい。
【００１１】
不良種別としては、例えば、締付不良、取付不良、間違い、整形不良、接着不良、貼付不良、汚れ、ゴミ／異物付着、損傷、印刷不良、形状不良、塗装不良、異音、操作性異常、扉開閉不良、出荷間違い、段差、隙間、不用品取付、異物混入、糸くず付着、切れ味不良、変形、塗装ハゲ、塗装透け、さび、カビ、等を挙げることができる。なお、これらは例示であり、製品の機種等に応じて適宜に増減できることは勿論である。
不良種別の入力方式は、所定の候補の中から選択する方式でもよく、任意に入力する方式でもよい。また、両者を併用する方式でもよい。
【００１２】
製品データベースでは、例えば、製品の機種やロットを一意に特定する製品情報、指示入力された不良位置、不良位置として指示入力された座標が検出された要素画像、入力された不良種別、不良位置とその要素画像から決められた不良部品（後述；［３］の構成）、入力された修理部品（後述；［１１］の構成）、入力された視点（後述；［４］の構成）等が、対応付けて記録される。
製品データベースは不良入力装置に設けてもよいが、サーバ装置に設け、ＬＡＮを介して不良入力装置に接続するように構成してもよい。
【００１３】
［２］  前記［１］に於いて、
前記不良種別入力手段は、
不良種別の候補を保持している不良候補記憶手段と、
前記不良候補記憶手段から不良種別の候補を読み出して種別選択ウインドウに表示する不良候補表示手段と、
前記種別選択ウインドウにて入力操作で選択された不良種別の候補を不良種別として決定する不良種別決定手段と、
を有することを特徴とする不良入力装置。
即ち、不良種別を候補の中から選択入力する構成である。
【００１４】
［３］  前記［１］又は［２］に於いて、
前記要素画像は製品を構成する部品の画像であり、
前記不良位置を持つ要素画像に対応する部品を不良部品として決定する不良部品決定手段を更に有し、
前記不良記憶手段は、前記不良位置と前記不良位置を検出した要素画像と前記不良種別と前記不良部品とを前記製品情報が指示する製品に対応付けて前記製品データベースに記憶する、
ことを特徴とする不良入力装置。
要素画像を部品と対応付けるテーブルを持てばよい。なお、要素画像と部品を１対１に対応付ける場合は、要素画像と部品を同一に扱えば足りる。
【００１５】
［４］  前記［３］に於いて、
前記画像記憶手段は、同一機種の製品に関し各々視点の異なる製品画像を配した複数の位置指定用画像を保持しており、
製品の視点を指定するための視点入力手段を更に有し、
前記指定用画像表示手段は、前記視点入力手段により指定された視点の位置指定用画像を前記画像記憶手段から読み出して表示し、
前記不良記憶手段は、前記不良位置と前記不良位置を検出した要素画像と前記不良種別と前記不良部品とを前記製品情報が指示する製品と前記視点入力手段により指定された視点とに対応付けて前記製品データベースに記憶する、
ことを特徴とする不良入力装置。
視点の異なる製品画像とは、例えば、製品の正面を撮影した背景を除く画像に対して、上面を撮影した背景を除く画像、側面を撮影した背景を除く画像、背面を撮影した背景を除く画像、底面を撮影した背景を除く画像等の１又は２以上の画像である。また、製品が開閉扉や開閉蓋等の可動部を有する場合に於いて、該可動部の動作前の状態を撮影した背景を除く画像に対して、動作中の状態や、動作後の状態を撮影した背景を除く画像である。
或る画像を主とし、該或る画像と密接な関連を有する別の１又は２以上の画像を従として関連付けるテーブルを持つように構成してもよい。そのように構成すると、上記或る画像を前記視点入力手段で指定することにより、該或る画像に対して従の関係にある１又は２以上の画像を自動的に読み出して付随的に表示するように構成できる（後述；［５］の構成）。
付随的に表示する方式としては、（１）主の画像を中心に配置し、その周囲に従の画像を配置する表示方式、（２）主の画像大きく表示し、従の画像を小さく表示する方式、（３）上記（１）と（２）の併用方式、（４）主の画像をフルカラーで表示し、従の画像をモノクロで表示する方式、（５）最初に主の画像を表示し、切換指定に応じて順に従の画像を表示する方式等、種々の表示方式を挙げることができる。
【００１６】
［５］  前記［４］に於いて、
前記画像記憶手段が保持する複数の位置指定用画像の中で視点が関連性を有する位置指定用画像を関連付ける画像関連情報を保持している画像関連情報記憶手段を更に有し、
前記指定用画像表示手段は、前記視点入力手段により指定された視点の位置指定用画像と併せて、該位置指定用画像に前記画像関連情報で関連付けられている位置指定用画像を前記画像記憶手段から取得して付随的に表示する、
ことを特徴とする不良入力装置。
【００１７】
［６］  前記［１］〜［５］の何れかに於いて、
前記画像記憶手段が保持する複数の要素画像の各々は自領域内のポインタの有無を検出可能な所定の領域記述式を持つ１又は２以上の図形要素から構成されており、各図形要素の領域記述式を用いた検出結果の論理和を当該要素画像内のポインタの有無とする、
ことを特徴とする不良入力装置。
【００１８】
［７］  前記［１］〜［６］の何れかに於いて、
前記画像記憶手段が保持する複数の要素画像の各々は優先順位を持ち、同一の位置指定用画像内で要素画像が重複する領域では高い優先順位を持つ要素画像を当該位置指定用画像内の製品画像の構成要素として用いる、
ことを特徴とする不良入力装置。
【００１９】
［８］  前記［１］〜［８］の何れかに於いて、
さらに、前記不良位置と前記不良位置を検出した要素画像と前記不良種別とを前記製品情報が指示する製品に対応付けて所定のラベルプリンタに出力する不良出力手段、
を有することを特徴とする不良入力装置。
不良位置、不良位置を検出した要素画像、不良種別の各情報は、人が読解可能な文字画像としてプリント出力してもよく、バーコード等としてプリント出力してもよく、両者を併用してプリント出力してもよい。
【００２０】
［９］  不良位置と不良種別が表示されている製品に対して施した修理を入力するための修理入力装置であって、
製品を特定する製品情報を入力するための製品情報入力手段と、
複数の要素画像から構成される製品画像を所定位置に配して成る位置表示用画像を保持している画像記憶手段と、
不良位置と不良位置を検出した要素画像と不良種別とを製品に対応付けて保持している製品データベースと、
前記画像記憶手段から位置表示用画像を読み出して位置表示ウインドウに表示する表示用画像表示手段と、
前記製品情報が指示する製品に対応付けられている不良位置と不良位置を検出した要素画像とを前記製品データベースから取得して前記位置表示ウインドウに表示される位置表示用画像上に表示する不良位置表示手段と、
前記製品情報が指示する製品に対応付けられている不良種別を前記製品データベースから取得して種別表示ウインドウに表示する不良種別表示手段と、
修理内容を入力するための修理内容入力手段と、
前記修理内容を前記製品情報が指示する製品に対応付けて前記製品データベースに記憶する修理記憶手段と、
を有することを特徴とする修理入力装置。
即ち、修理部門に配置される装置である。
【００２１】
製品情報及び製品情報入力手段は、前記［１］の項と同じである。
本［９］の位置表示用画像は、要素画像が自領域内の位置を指示する機能を持つ点を除いて、前記［１］の位置指定用画像と同様である。要素画像が自領域内の位置を指示する機能は、要素画像が自領域内のポインタ位置を検出する機能の裏返しであり、容易に類推できるため、説明は省略する。
修理内容の入力方式は、所定の修理内容候補の中から選択入力する方式でもよく、任意の修理内容を入力する方式でもよく、両者を併用する方式でもよい。
【００２２】
［１０］  前記［９］に於いて、
前記修理内容入力手段は、
修理内容の候補を保持している修理候補記憶手段と、
前記修理候補記憶手段から修理内容の候補を取得して内容選択ウインドウに表示する修理候補表示手段と、
前記内容選択ウインドウにて入力操作で選択された修理内容の候補を修理内容として決定する修理内容決定手段と、
を有することを特徴とする修理入力装置。
即ち、修理内容を所定の候補の中から選択入力する構成である。
【００２３】
［１１］  前記［９］又は［１０］に於いて、
前記要素画像は製品を構成する部品の画像であり、
前記不良位置を検出した要素画像に対応する部品を修理部品として決定する修理部品決定手段を更に有し、
前記修理記憶手段は、前記修理内容と前記修理部品とを前記製品情報が指示する製品に対応付けて前記製品データベースに記憶する、
ことを特徴とする修理入力装置。
製品データベースに修理部品としての項目を設けて記録するため、不良有りとされた製品の中で、未修理の製品と、修理済みの製品とを、速やかに分類したり検索したりすることができる。
【００２４】
［１２］  前記［９］〜［１１］の何れかに於いて、
前記画像記憶手段は、同一機種の製品に関し各々視点の異なる製品画像を配した複数の位置表示用画像を保持しており、
前記製品データベースは、不良位置と不良位置を検出した要素画像と不良種別を製品と位置表示用画像を規定する視点とに対応付けて保持しており、
前記表示用画像表示手段は、前記製品情報が指示する製品に対応付けられている視点により規定される位置表示用画像を前記画像記憶手段から読み出して位置表示ウインドウに表示する、
ことを特徴とする修理入力装置。
視点については前記［４］の項で説明済みのため省略する。
視点が対応付けられている位置表示用画像とは、不良位置が入力された位置指定用画像に対応する画像である。したがって、不良入力時と同じ視点の位置表示用画像が表示されることとり、修理作業の効率を向上させることができる。
【００２５】
［１３］  前記［９］〜［１２］の何れかに於いて、
前記画像記憶手段が保持する複数の要素画像の各々は１又は２以上の図形要素から構成されている、
ことを特徴とする修理入力装置。
【００２６】
［１４］  前記［９］〜［１３］の何れかに於いて、
前記画像記憶手段が保持する複数の要素画像の各々は優先順位を持ち、同一の位置表示用画像内で要素画像が重複する領域では高い優先順位を持つ要素画像を当該位置表示用画像内の製品画像の構成要素として用いる、
ことを特徴とする修理入力装置。
【００２７】
［１５］  集計対象の製品の不良を集計して集計結果と不良位置を表示するための不良集計・表示装置であって、
複数の要素画像から構成される製品画像を所定位置に配して成る位置表示用画像を保持している画像記憶手段と、
不良位置と不良位置を検出した要素画像と不良種別とを製品に対応付けて保持している製品データベースと、
集計対象の各製品に対応付けられている不良種別と不良位置と不良位置を検出した要素画像とを前記製品データベースから取得して不良種別毎に且つ不良位置を検出した要素画像毎に集計する不良集計手段と、
前記不良集計手段による集計結果を不良選択ウインドウに不良種別毎且つ不良位置を検出した要素画像毎に選択可能に表示する集計不良表示手段と、
前記不良選択ウインドウにて入力操作で選択された不良種別且つ不良位置を検出した要素画像を表示対象不良として決定する表示不良決定手段と、
前記画像記憶手段から位置表示用画像を読み出して位置表示ウインドウに表示する表示用画像表示手段と、
集計対象の各製品に対応付けられている不良位置であって前記表示対象不良に該当する不良位置を前記製品データベースから取得して前記位置表示ウインドウに表示される位置表示用画像上にそれぞれ表示する不良位置表示手段と、
を有することを特徴とする不良集計・表示装置。
即ち、品質保証部門、工程管理部門等の間接部門や、組立工程部門等に配置される装置である。
【００２８】
集計対象の製品は、例えば、直近の過去１時間に生産された製品、当日午前中に生産された製品、当日午後中に生産された製品、当日に生産された製品、当週に生産された製品、当月に生産された製品、当期に生産された製品等、本不良表示装置が設置される部門の必要に応じて設定される。製品が集計対象に該当するか否かは、製品に付与されている前記製品情報を参照して決め得る。
集計不良表示手段による集計結果の表示方式としては、例えば、不良種別毎に且つ要素画像（部品）毎に、その個数を数値で表示する方式、グラフ化して表示する方式等、適宜に設定してよい。なお、前記［１］の不良入力装置にて不良の入力時刻を併せて製品データベースに記録しておき、該入力時刻に基づいて、時間帯別に不良種別毎且つ要素画像（部品）毎の不良を一覧表で及び／又はグラフで表示するように構成してもよい。
また、不良種別を詳細度で分類し、不良表示装置の設定に応じて、不良の概要を表示したり（＝大分類が同じで小分類が異なる不良の総数を表示したり）、詳細な不良を表示したり（＝小分類毎の不良個数をそれぞれ表示したり）するように構成してもよい。
表示対象不良とは、不良位置を製品画像上で表示するように、不良種別と要素画像（部品）とを、選択入力された不良である。製品画像上で不良位置を表示する方式としては、例えば、不良位置を点で表示する方式を挙げることができる。その場合に於いて、最新の不良を例えば赤点で表示し、過去の不良を他の色で表示する等してもよい。
【００２９】
［１６］  前記［１５］に於いて、
前記表示不良決定手段は、前記不良選択ウインドウにて入力操作で不良種別且つ不良位置を検出した要素画像が選択されるまでは、集計対象の各製品に対応付けられている不良の中で最新に対応付けられた不良種別且つ不良位置を検出した要素画像を表示不良として決定する、
ことを特徴とする不良表示装置。
初期の不良位置として、最新の不良位置を表示する構成である。
【００３０】
［１７］  前記［１５］又は［１６］に於いて、
前記要素画像は製品を構成する部品の画像である、
ことを特徴とする不良表示装置。
【００３１】
［１８］  前記［１５］〜［１７］の何れかに於いて、
前記画像記憶手段は、同一機種の製品に関し各々視点の異なる製品画像を配した複数の位置表示用画像を保持しており、
前記製品データベースは、不良位置と不良位置を検出した要素画像と不良種別とを製品と位置表示用画像を規定する視点とに対応付けて保持しており、
前記表示用画像表示手段は、前記表示不良に該当する不良種別且つ不良位置を検出した要素画像が対応付けられている視点により規定される位置表示用画像を前記画像記憶手段から取得して位置表示ウインドウに表示する、
ことを特徴とする不良表示装置。
視点については前記［４］の項で説明済みのため省略する。
視点が対応付けられている位置表示用画像とは、不良位置が入力された位置指定用画像に対応する画像である。したがって、不良入力時と同じ視点の位置表示用画像が表示されることとり、集計結果の確認が容易となる。
【００３２】
［１９］  前記［１５］〜［１８］の何れかに於いて、
前記画像記憶手段が保持する複数の要素画像の各々は１又は２以上の図形要素から構成されている、
ことを特徴とする不良表示装置。
【００３３】
［２０］  前記［１５］〜［１９］の何れかに於いて、
前記画像記憶手段が保持する複数の要素画像の各々は優先順位を持ち、同一の位置表示用画像内で要素画像が重複する領域では高い優先順位を持つ要素画像を当該位置表示用画像内の製品画像の構成要素として用いる、
ことを特徴とする不良表示装置。
【００３４】
［２１］  不良入力装置で入力し、不良集計装置で集計した製品不良の集計結果を、無線ネットワークを介して不良表示装置へ送信して、該不良表示装置にて表示する製品不良報知システムであって、
前記不良入力装置は、製品を特定する製品情報を入力するための製品情報入力手段と、不良位置を該不良位置が属する要素画像とともに入力するための不良位置入力手段と、不良種別を入力するための不良種別入力手段と、前記不良位置と前記不良位置が属する要素画像と前記不良種別とを前記製品情報が指示する製品に対応付けて所定の製品データベースに記憶する不良記憶手段とを有し、
前記不良集計装置は、集計対象の各製品に対応付けられている不良位置と不良位置が属する要素画像と不良種別とを前記製品データベースから取得して不良位置が属する要素画像毎に且つ不良種別毎に集計する不良集計手段と、無線ネットワークとの間でデータを送受信する機能を有し前記不良集計手段による集計結果を所定の１又は２以上の宛て先を付して無線ネットワークへ送出する無線端末手段とを有し、
前記不良表示装置は、無線ネットワークとの間でデータを送受信する機能を有する無線端末手段と、前記無線端末手段により無線ネットワークから受信された集計結果を表示する表示手段とを有する、
ことを特徴とする製品不良報知システム。
不良情報の集計結果を、携帯電話機等の無線情報端末へ送信して表示させるシステムである。不良表示機能を持つ不良集計装置から管理者が離れている場合にも、速やかに不良情報を知らせ得るようにしたものである。
【００３５】
［２２］  前記［２１］に於いて、
前記不良集計装置は、前記１又は２以上の各宛て先に関してそれぞれ前記不良位置が属する要素画像毎の且つ前記不良種別毎の集計の閾値を持つ閾値記憶手段と、閾値を越えた集計結果を該閾値を越えた集計結果に対応する宛て先へ送信することを許可する送信可否決定手段と、を更に有する、
ことを特徴とする製品不良報知システム。
不良の種別や不良の発生した要素画像（部品）によっては、速やかに連絡することが必要な緊急度の高いものと、それほど緊急度が高くないものがある。さらに、管理者の業務によっても緊急度が異なるという事情がある。これらを考慮して、不良種別毎に且つ要素画像（部品）毎に閾値を設けて送信可否を決定するようにしたものである。
【００３６】
［２３］  前記［２１］又は［２２］に於いて、
前記製品データベースはサーバ装置に設けられており、
前記サーバ装置と前記不良入力装置、及び、前記サーバ装置と前記不良集計装置とは、ＬＡＮを介してデータ送受信可能に構成されている、
ことを特徴とする製品不良報知システム。
【００３７】
［２４］  前記［２１］〜［２３］の何れかに於いて、
前記不良表示装置は携帯電話機である、
ことを特徴とする製品不良報知システム。
【００３８】
［２５］  製品の不良情報を入力して製品データベースに記憶するための不良入力装置と、前記製品データベースが設けられているサーバ装置と、前記サーバ装置から取得した修理対象製品の不良情報を表示するとともに修理内容を入力するための修理入力装置と、前記サーバ装置から取得した集計対象製品の不良情報を集計して表示する不良集計・表示装置とを、ＬＡＮを介してデータ送受信可能に接続して成る製品不良処理システムであって、
前記不良入力装置は、製品を特定する製品情報を入力するための製品情報入力手段と、不良位置と該不良位置が属する要素画像とを入力するための不良位置入力手段と、不良種別を入力するための不良種別入力手段と、前記不良位置と前記不良位置が属する要素画像と前記不良種別とを前記製品情報が指示する製品に対応付けて前記製品データベースに記憶する不良記憶手段とを有し、
前記修理入力装置は、製品を特定する製品情報を入力するための製品情報入力手段と、前記製品情報が指示する製品に対応付けて記憶されている不良種別と不良位置と不良位置が属する要素画像とを前記製品データベースから取得する不良情報取得手段と、前記取得した不良種別と不良位置と不良位置が属する要素画像とを表示する不良情報表示手段と、修理内容を入力するための修理内容入力手段と、前記修理内容を前記製品情報が指示する製品に対応付けて前記製品データベースに記憶する修理記憶手段とを有し、
前記不良集計・表示装置は、集計対象の各製品に対応付けられている不良種別と不良位置と不良位置が属する要素画像とを前記製品データベースから取得して不良種別毎に且つ不良位置が属する要素画像毎に集計する不良集計手段と、前記不良集計手段による集計結果を不良種別毎に且つ不良位置が属する要素画像毎に表示する不良表示手段とを有する、
ことを特徴とする製品不良処理システム。
例えば、前記［１］の装置と、前記製品データベースサーバと、前記［９］の装置と、前記［１５］の装置とを、ＬＡＮで接続したシステムである。
このように各装置を連携することで、検査結果を有機的に利用することが可能となり、不良に対する速やかな対応が可能となる。
【００３９】
［２６］  前記［２５］に於いて、
前記不良入力装置の不良位置入力手段は、
自領域内のポインタ有無検出機能を持つ複数の要素画像から構成される製品画像を所定位置に配して成る位置指定用画像を保持している画像記憶手段と、
前記画像記憶手段から位置指定用画像を読み出して位置指定ウインドウに表示する指定用画像表示手段と、
前記位置指定ウインドウにて入力操作で指定されたポインタ位置を検出して不良位置として決定する不良位置決定手段と、
を有することを特徴とする製品不良処理システム。
【００４０】
［２７］  前記［２５］又は［２６］に於いて、
前記修理入力装置の不良情報表示手段は、
複数の要素画像から構成される製品画像を所定位置に配して成る位置表示用画像を保持している画像記憶手段と、
前記画像記憶手段から位置表示用画像を読み出して位置表示ウインドウに表示する表示用画像表示手段と、
前記製品データベースから取得した不良位置を前記位置表示ウインドウに表示される位置表示用画像上に表示する不良位置表示手段と、
前記製品データベースから取得した不良種別を種別表示ウインドウに表示する不良種別表示手段と、
を有することを特徴とする製品不良処理システム。
【００４１】
［２８］  前記［２５］〜［２７］の何れかに於いて、
前記不良集計・表示装置の不良表示手段は、
複数の要素画像から構成される製品画像を所定位置に配して成る位置表示用画像を保持している画像記憶手段と、
前記不良集計手段による集計結果を不良選択ウインドウに不良種別毎且つ不良位置が属する要素画像毎に選択可能に表示する集計不良表示手段と、
前記不良選択ウインドウにて入力操作で選択された不良種別且つ不良位置が属する要素画像を表示対象不良として決定する表示不良決定手段と、
前記画像記憶手段から位置表示用画像を読み出して位置表示ウインドウに表示する表示用画像表示手段と、
集計対象の各製品に対応付けられている不良位置であって前記表示対象不良に該当する不良位置を前記製品データベースから読み出して前記位置表示ウインドウに表示される位置表示用画像上にそれぞれ表示する不良位置表示手段と、
を有することを特徴とする製品不良処理システム。
【００４２】
［２９］  コンピュータを、
所定の入力装置から入力される製品情報を取得する製品情報取得手段、
所定の表示装置上に位置指定ウインドウを確保し、自領域内のポインタ有無検出機能を持つ複数の要素画像から構成される検査対象機種の製品画像を所定位置に配して成る位置指定用画像を所定の画像記憶手段から読み出して表示する指定用画像表示手段、
所定のポインティング装置により前記位置指定ウインドウにて指定されたポインタ位置を前記ポインタ位置検出機能を用いて検出して不良位置として決定する不良位置決定手段、
所定の入力装置から入力される不良種別を取得する不良種別取得手段、
前記不良位置と前記不良位置が検出された要素画像と前記不良種別とを前記製品情報が指示する特定の製品に対応付けて所定の製品データベースに記憶する不良記憶手段、
として機能させるためのプログラム。
【００４３】
［３０］  前記［２９］に於いて、
前記不良種別取得手段は、
所定の表示装置上に種別選択ウインドウを確保し、不良種別の候補を所定の不良候補記憶手段から読み出して表示するプログラムである不良候補表示手段、
所定の入力装置からの入力により前記種別選択ウインドウにて選択された不良種別の候補を不良種別として決定するプログラムである不良種別決定手段、
を有することを特徴とするプログラム。
【００４４】
［３１］  前記［２９］又は［３０］に於いて、
前記要素画像は製品を構成する部品の画像であり、
前記不良位置が検出された要素画像に対応する部品を不良部品として決定するプログラムである不良部品決定手段を更に有し、
前記不良記憶手段は、前記不良位置と前記不良位置が検出された要素画像と前記不良種別と前記不良部品とを前記製品情報が指示する特定の製品に対応付けて前記製品データベースに記憶する、
ことを特徴とするプログラム。
【００４５】
［３２］  前記［３１］に於いて、
前記所定の画像記憶手段は、検査対象機種に関し各々視点の異なる製品画像を配した複数の位置指定用画像を保持しており、
所定の入力装置からの入力により指定される視点を取得するプログラムである視点取得手段を更に有し、
前記指定用画像表示手段は、前記視点取得手段により取得された視点の位置指定用画像を前記画像記憶手段から読み出して表示し、
前記不良記憶手段は、前記不良位置と前記不良位置が検出された要素画像と前記不良種別と前記不良部品とを前記製品情報が指示する特定の製品と前記視点取得手段により取得された視点とに対応付けて前記製品データベースに記憶する、
ことを特徴とするプログラム。
【００４６】
［３３］  前記［３２］に於いて、
前記指定用画像表示手段は、前記画像記憶手段が持つ複数の位置指定用画像の中で視点が関連性を有する位置指定用画像を関連付ける画像関連情報を所定の画像関連情報記憶手段から読み出し、前記視点取得手段により取得された視点の位置指定用画像とともに、該位置指定用画像に前記画像関連情報により関連付けられる位置指定用画像を前記画像記憶手段から読み出して付随的に表示する、
ことを特徴とするプログラム。
【００４７】
［３４］  前記［２９］〜［３３］の何れかに於いて、
前記画像記憶手段が保持する複数の要素画像の各々は自領域内のポインタの有無を検出可能な所定の領域記述式を持つ１又は２以上の図形要素から構成されており、前記不良位置決定手段は各図形要素の領域記述式を用いた検出結果の論理和を当該要素画像内の不良位置の有無とする、
ことを特徴とするプログラム。
【００４８】
［３５］  前記［２９］〜［３４］の何れかに於いて、
前記画像記憶手段が保持する複数の要素画像の各々は優先順位を持ち、前記指定用画像表示手段及び前記不良位置決定手段は同一の位置指定用画像内で要素画像が重複する領域では高い優先順位を持つ要素画像を当該位置指定用画像内の製品画像の構成要素として用いる、
ことを特徴とするプログラム。
【００４９】
［３６］  前記［２９］〜［３５］の何れかに於いて、
さらに、前記不良位置と前記不良位置が検出された要素画像と前記不良種別とを前記製品情報が指示する特定の製品に対応付けて所定のラベルプリンタに出力するプログラムである不良出力手段、
を有することを特徴とするプログラム。
【００５０】
［３７］  コンピュータを、
所定の入力装置から入力される製品情報を取得する製品情報取得手段、
所定の表示装置上に位置表示ウインドウを確保し、複数の要素画像から構成される検査対象機種の製品画像を所定位置に配して成る位置表示用画像を所定の画像記憶手段から読み出して表示する表示用画像表示手段、
前記製品情報が指示する特定の製品に対応付けられている不良位置と不良位置が検出された要素画像とを所定の製品データベースから取得して前記位置表示用画像上に表示する不良位置表示手段、
所定の表示装置上に種別表示ウインドウを確保し、前記製品情報が指示する特定の製品に対応付けられている不良種別を前記製品データベースから取得して表示する不良種別表示手段、
所定の入力装置から入力される修理内容を取得する修理内容取得手段、
前記修理内容を前記製品情報が指示する特定の製品に対応付けて前記製品データベースに記憶する修理記憶手段、
として機能させるためのプログラム。
【００５１】
［３８］  前記［３７］に於いて、
前記修理内容取得手段は、
所定の表示装置上に内容選択ウインドウを確保し、修理内容の候補を保持している所定の修理候補記憶手段から修理内容の候補を取得して表示するプログラムである修理候補表示手段、
所定の入力装置からの入力により前記内容選択ウインドウにて選択された修理内容の候補を修理内容として決定するプログラムである修理内容決定手段、
を有することを特徴とするプログラム。
【００５２】
［３９］  前記［３７］又は［３８］に於いて、
前記要素画像は製品を構成する部品の画像であり、
前記不良位置が検出された要素画像に対応する部品を修理部品として決定するプログラムである修理部品決定手段を更に有し、
前記修理記憶手段は、前記修理内容と前記修理部品とを前記製品情報が指示する特定の製品に対応付けて前記製品データベースに記憶する、
ことを特徴とするプログラム。
【００５３】
［４０］  前記［３７］〜［３９］の何れかに於いて、
前記画像記憶手段は、修理対象機種に関し各々視点の異なる製品画像を配した複数の位置表示用画像を保持しており、
前記製品データベースは、不良位置と不良位置を検出した要素画像と不良種別を、製品と位置表示用画像を規定する視点とに対応付けて保持しており、
前記表示用画像表示手段は、前記製品情報が指示する特定の製品に対応付けられている視点を前記製品データベースから読み出し、該読み出した視点により規定される位置表示用画像を前記画像記憶手段から読み出して表示する、
ことを特徴とするプログラム。
【００５４】
［４１］  前記［３７］〜［４０］の何れかに於いて、
前記画像記憶手段が保持する複数の要素画像の各々は１又は２以上の図形要素から構成されている、
ことを特徴とするプログラム。
【００５５】
［４２］  前記［３７］〜［４１］の何れかに於いて、
前記画像記憶手段が保持する複数の要素画像の各々は優先順位を持ち、前記表示用画像表示手段は同一の位置表示用画像内で要素画像が重複する領域では高い優先順位を持つ要素画像を当該位置表示用画像内の製品画像の構成要素として用いる、
ことを特徴とするプログラム。
【００５６】
［４３］  コンピュータを、
集計対象の製品の製品情報を取得する製品情報取得手段、
前記取得した各製品情報に対応付けられている不良種別と不良位置と不良位置が検出された要素画像とを所定の製品データベースから取得して不良種別毎に且つ不良位置が検出された要素画像毎に集計する不良集計手段、
所定の表示装置上に不良選択ウインドウを確保し、前記不良集計手段による集計結果を不良種別毎且つ不良位置が検出された要素画像毎に選択可能に表示する集計不良表示手段、
所定の入力装置からの入力により前記不良選択ウインドウにて選択された不良種別且つ不良位置が検出された要素画像を表示対象不良として決定する表示不良決定手段、
所定の表示装置上に位置表示ウインドウを確保し、複数の要素画像から構成される集計対象機種の製品画像を所定位置に配して成る位置表示用画像を所定の画像記憶手段から読み出して表示する表示用画像表示手段、
前記取得した各製品情報に対応付けられている不良位置であって前記表示対象不良に該当する不良位置を、前記製品データベースから取得して、前記位置表示用画像上にそれぞれ表示する不良位置表示手段、
として機能させるためのプログラム。
【００５７】
［４４］  前記［４３］に於いて、
前記表示不良決定手段は、所定の入力装置からの入力により前記不良選択ウインドウにて不良種別且つ不良位置が検出された要素画像が選択されるまでは、前記取得した各製品情報に対応付けられている不良の中で最新に対応付けられた不良種別且つ不良位置が検出された要素画像を表示不良として決定する、
ことを特徴とするプログラム。
【００５８】
［４５］  前記［４３］又は［４４］に於いて、
前記要素画像は製品を構成する部品の画像である、
ことを特徴とするプログラム。
【００５９】
［４６］  前記［４３］〜［４５］の何れかに於いて、
前記画像記憶手段は、集計対象機種の製品に関し各々視点の異なる製品画像を配した複数の位置表示用画像を保持しており、
前記製品データベースは、不良位置と不良位置が検出された要素画像と不良種別とを製品と位置表示用画像を規定する視点とに対応付けて保持しており、
前記表示用画像表示手段は、前記表示不良に該当する不良種別且つ不良位置が検出された要素画像が対応付けられている視点を前記製品データベースから読み出し、該読み出した視点により規定される位置表示用画像を前記画像記憶手段から読み出して表示する、
ことを特徴とするプログラム。
【００６０】
［４７］  前記［４３］〜［４６］の何れかに於いて、
前記画像記憶手段が保持する複数の要素画像の各々は１又は２以上の図形要素から構成されている、
ことを特徴とするプログラム。
【００６１】
［４８］  前記［４３］〜［４７］の何れかに於いて、
前記画像記憶手段が保持する複数の要素画像の各々は優先順位を持ち、前記表示用画像表示手段は同一の位置表示用画像内で要素画像が重複する領域では高い優先順位を持つ要素画像を当該位置表示用画像内の製品画像の構成要素として用いる、
ことを特徴とするプログラム。
【００６２】
［４９］  サーバコンピュータを、ＬＡＮから受信される不良情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の表示装置上に位置指定ウインドウを確保して自領域内のポインタ有無検出機能を持つ複数の要素画像から構成される検査対象機種の製品画像を所定位置に配して成る位置指定用画像を所定の画像記憶手段から読み出して表示する指定用画像表示手段、所定のポインティング装置により前記位置指定ウインドウにて入力される不良位置と該不良位置が属する要素画像とを取得する不良位置取得手段、所定の入力装置から入力される不良種別を取得する不良種別取得手段、前記不良位置取得手段により取得した不良位置及び該不良位置が属する要素画像と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
集計部門のコンピュータを、集計対象の製品の製品情報を取得する製品情報取得手段、前記製品情報取得手段により取得した各製品情報に対応付けられている不良位置と不良位置が属する要素画像と不良種別とをＬＡＮを介して前記サーバコンピュータに要求して取得する不良情報取得手段、前記不良情報取得手段により取得した各製品情報に対応付けられている不良情報を不良位置が属する要素画像毎に且つ不良種別毎に集計する不良情報集計手段、前記不良情報集計手段により集計した結果を集計結果情報として所定の１又は２以上の宛て先を付して所定の無線ネットワークへ送出する送信制御手段、として機能させるためのプログラムと、
携帯無線端末装置のコンピュータを、前記無線ネットワークから受信される集計結果情報を取得する集計結果取得手段、所定の表示装置上に集計結果表示領域を確保して前記集計結果情報を表示する集計結果表示手段、として機能させるためのプログラムと、
を有するプログラム。
【００６３】
［５０］  前記［４９］に於いて、
前記集計部門のコンピュータのプログラムは、
前記１又は２以上の各宛て先に関してそれぞれ前記不良位置が属する要素画像毎の且つ前記不良種別毎の集計の閾値を所定の閾値記憶手段から取得して該閾値を越えた集計結果を該閾値を越えた集計結果に対応する宛て先へ送信することを許可するプログラムである送信可否決定手段を更に有する、
ことを特徴とするプログラム。
【００６４】
［５１］  サーバコンピュータを、ＬＡＮから受信される不良情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の入力装置から入力される不良位置及び不良位置が属する不良部品を取得する不良位置取得手段、所定の入力装置から入力される不良種別を取得する不良種別取得手段、前記不良位置取得手段により取得した不良位置及び不良部品と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
集計部門のコンピュータを、集計対象の製品の製品情報を取得する製品情報取得手段、前記製品情報取得手段により取得した各製品情報に対応付けられている不良位置と不良部品と不良種別とをＬＡＮを介して前記サーバコンピュータに要求して取得する不良情報取得手段、前記不良情報取得手段により取得した各製品情報に対応付けられている不良情報を部品毎に且つ不良種別毎に集計する不良情報集計手段、前記不良情報集計手段により集計した結果を集計結果情報として所定の１又は２以上の宛て先を付して所定の無線ネットワークへ送出する送信制御手段、として機能させるためのプログラムと、
携帯無線端末装置のコンピュータを、前記無線ネットワークから受信される集計結果情報を取得する集計結果取得手段、所定の表示装置上に集計結果表示領域を確保して前記集計結果情報を表示する集計結果表示手段、として機能させるためのプログラムと、
を有するプログラム。
【００６５】
［５２］  前記［５１］に於いて、
前記集計部門のコンピュータのプログラムは、
前記１又は２以上の各宛て先に関してそれぞれ前記不良部品毎の且つ前記不良種別毎の集計の閾値を所定の閾値記憶手段から取得して該閾値を越えた集計結果を該閾値を越えた集計結果に対応する宛て先へ送信することを許可するプログラムである送信可否決定手段を更に有する、
ことを特徴とするプログラム。
【００６６】
［５３］  サーバコンピュータを、ＬＡＮから受信される不良情報又は修理情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の表示装置上に位置指定ウインドウを確保して自領域内のポインタ有無検出機能を持つ複数の要素画像から構成される検査対象機種の製品画像を所定位置に配して成る位置指定用画像を所定の画像記憶手段から読み出して表示する指定用画像表示手段、所定のポインティング装置により前記位置指定ウインドウにて入力される不良位置と該不良位置が属する要素画像とを取得する不良位置取得手段、所定の入力装置から入力される不良種別を取得する不良種別取得手段、前記不良位置取得手段により取得した不良位置及び該不良位置が属する要素画像と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
修理部門のコンピュータを、所定の入力装置から入力される製品情報を取得する製品情報取得手段、前記製品情報取得手段により取得した製品情報に対応付けられている不良位置と不良位置が属する要素画像と不良種別とをＬＡＮを介して前記サーバコンピュータに要求して取得する不良情報取得手段、所定の表示装置上に位置表示ウインドウを確保して複数の要素画像から構成される修理対象機種の製品画像を所定位置に配して成る位置表示用画像を所定の画像記憶手段から読み出して表示する表示用画像表示手段、前記不良情報取得手段により取得した不良位置を前記位置表示用画像上に表示する不良位置表示手段、所定の表示装置上に種別表示ウインドウを確保して前記不良情報取得手段により取得した不良種別を表示する不良種別表示手段、所定の入力装置から入力された修理内容を取得する修理内容取得手段、前記修理内容取得手段により取得した修理内容を前記製品情報取得手段により取得した製品情報が指示する特定の製品に対応付けて前記サーバコンピュータ宛ての修理情報としてＬＡＮへ送出する修理情報送信手段、として機能させるためのプログラムと、
集計・表示部門のコンピュータを、集計対象の製品の製品情報を取得する製品情報取得手段、前記製品情報取得手段により取得した各製品情報に対応付けられている不良位置と不良位置が属する要素画像と不良種別とをＬＡＮを介して前記サーバコンピュータに要求して取得する不良情報取得手段、前記不良情報取得手段により取得した不良情報を不良位置が属する要素画像毎に且つ不良種別毎に集計する不良情報集計手段、所定の表示装置上に位置表示ウインドウを確保して複数の要素画像から構成される集計対象機種の製品画像を所定位置に配して成る位置表示用画像を所定の画像記憶手段から読み出して表示する表示用画像表示手段、前記不良情報集計手段により要素画像毎に且つ不良種別毎に集計した不良位置であって指定された要素画像且つ不良種別の各不良位置を前記位置表示用画像上に表示する不良位置表示手段、所定の表示装置上に種別表示ウインドウを確保して前記不良情報集計手段により要素画像毎に且つ不良種別毎に集計した不良種別を表示する不良種別表示手段、として機能させるためのプログラムと、
を有するプログラム。
【００６７】
［５４］  前記［５３］に於いて、
前記集計・表示部門のコンピュータのプログラムは、
前記種別表示ウインドウにて所定のポインティング装置により選択された要素画像且つ不良種別を取得するプログラムである表示不良取得手段を更に有し、
前記不良位置表示手段は、前記表示不良取得手段により取得された要素画像且つ不良種別の各不良位置を表示する、
ことを特徴とするプログラム。
【００６８】
［５５］  サーバコンピュータを、ＬＡＮから受信される不良情報又は修理情報を所定の製品データベースに記憶する受信情報記憶手段、ＬＡＮを介して要求される不良情報を前記製品データベースから読み出す不良情報読出手段、前記不良情報読出手段により読み出した不良情報を該不良情報の要求元宛にＬＡＮへ送出する不良情報送信手段、として機能させるためのプログラムと、
検査部門のコンピュータを、所定の入力装置から入力される製品情報を取得する製品情報取得手段、所定の入力装置から入力される不良位置と不良位置が属する不良部品を取得する不良位置取得手段、所定の入力装置から入力される不良種別を取得する不良種別取得手段、前記不良位置取得手段により取得した不良位置及び不良部品と前記不良種別取得手段により取得した不良種別とを前記製品情報取得手段により取得した製品情報が指示する特定の製品に対応付けて前記サーバコンピュータ宛ての不良情報としてＬＡＮへ送出する不良情報送信手段、として機能させるためのプログラムと、
修理部門のコンピュータを、所定の入力装置から入力される製品情報を取得する製品情報取得手段、前記製品情報取得手段により取得した製品情報に対応付けられている不良位置と該不良位置が属する不良部品と不良種別とをＬＡＮを介して前記サーバコンピュータに要求して取得する不良情報取得手段、所定の表示装置上に位置表示ウインドウを確保して複数の要素画像から構成される修理対象機種の製品画像を所定位置に配して成る位置表示用画像を所定の画像記憶手段から読み出して表示する表示用画像表示手段、前記不良情報取得手段により取得した不良位置を前記位置表示用画像上に表示する不良位置表示手段、所定の表示装置上に種別表示ウインドウを確保して前記不良情報取得手段により取得した不良種別を表示する不良種別表示手段、所定の入力装置から入力された修理内容を取得する修理内容取得手段、前記修理内容取得手段により取得した修理内容を前記製品情報取得手段により取得した製品情報が指示する特定の製品に対応付けて前記サーバコンピュータ宛ての修理情報としてＬＡＮへ送出する修理情報送信手段、として機能させるためのプログラムと、
集計・表示部門のコンピュータを、集計対象の製品の製品情報を取得する製品情報取得手段、前記製品情報取得手段により取得した各製品情報に対応付けられている不良位置と不良位置が属する不良部品と不良種別とをＬＡＮを介して前記サーバコンピュータに要求して取得する不良情報取得手段、前記不良情報取得手段により取得した不良情報を不良位置が属する不良部品毎に且つ不良種別毎に集計する不良情報集計手段、所定の表示装置上に位置表示ウインドウを確保して複数の要素画像から構成される集計対象機種の製品画像を所定位置に配して成る位置表示用画像を所定の画像記憶手段から読み出して表示する表示用画像表示手段、前記不良情報集計手段により不良部品毎に且つ不良種別毎に集計した不良位置であって指定された部品且つ不良種別の各不良位置を前記位置表示用画像上に表示する不良位置表示手段、所定の表示装置上に種別表示ウインドウを確保して前記不良情報集計手段により不良部品毎に且つ不良種別毎に集計した不良種別を表示する不良種別表示手段、として機能させるためのプログラムと、
を有するプログラム。
【００６９】
［５６］  前記［５５］に於いて、
前記集計・表示部門のコンピュータのプログラムは、
前記種別表示ウインドウにて所定のポインティング装置により選択された不良部品且つ不良種別を取得するプログラムである表示不良取得手段を更に有し、
前記不良位置表示手段は、前記表示不良取得手段により取得された不良部品且つ不良種別の各不良位置を表示する、
ことを特徴とするプログラム。
【００７０】
［５７］  前記［５３］〜［５６］の何れかに於いて、
前記集計・表示部門のコンピュータのプログラムは、
集計機能を受け持つ集計部門のコンピュータのプログラムと、
表示機能を受け持つ表示部門のコンピュータのプログラムと、
から構成されることを特徴とするプログラム。
【００７１】
［５８］  前記［５７］に於いて、
前記集計部門のコンピュータのプログラムである集計機能を受け持つプログラムは、前記サーバコンピュータのプログラムの一部を構成する、
ことを特徴とするプログラム。
【００７２】
【発明の実施の形態】
以下、図面を参照して本発明の実施の形態を説明する。
図１は実施の形態の製品不良処理システムの構成を示すブロック図、図２は図１内の不良入力装置１０の構成を示すブロック図、図３は図１内の修理入力装置２０の構成を示すブロック図、図４は図１内の不良集計・表示装置３０の構成を示すブロック図である。図５上段は図１内のデータベースサーバ４０が持つ製品データベース４１の構成を示す説明図、図５下段左は図２内の補助記憶装置１６が持つ要素画像−領域記述式テーブル１６４の構成を示す説明図、図５下段右は図２内の補助記憶装置１６が持つ要素画像−優先順位テーブル１６５の構成を示す説明図である。図６は複数の単純図形により要素画像（部品の画像）を構成する様子を示す説明図（上段）と、複数の要素画像により製品画像を構成する様子を示す説明図（下段）である。また、図１７はサーバ装置４０での手順を示すフローチャート、図１８と図１９は不良入力装置１０での手順を示すフローチャート、図２０と図２１は修理入力装置２０での手順を示すフローチャート、図２２と図２３は不良集計・表示装置３０での手順を示すフローチャートである。図２４は図２内の補助記憶装置１６が持つ画像関連付けテーブル１６２の構成を示す説明図である。
【００７３】
図１に示すように、本実施の形態の製品不良処理システムは、製品の不良情報を入力して製品データベース４１（データベースサーバ４０内）に記録するための不良入力装置１０と、製品データベース４１が設けられているデータベースサーバ４０と、修理対象製品の不良情報をデータベースサーバ４０から取得して表示するとともに修理内容を入力するための修理入力装置２０と、集計対象の各製品の不良情報や修理情報をデータベースサーバ４０から取得して集計して表示する不良集計・表示装置３０と、不良の発生を電子メール等で管理者に通報するための携帯電話機や携帯端末装置５１、５２・・・とを、ＬＡＮ及びネットワークを介してデータ送受信可能に接続したシステムである。
【００７４】
上記不良入力装置１０は、検査部門に設けられるコンピュータ装置であり、工程の規模・仕様に応じて、適当な位置に１台乃至複数台の不良入力装置１０が接続される。
不良入力装置１０では、画面表示されている製品画像上にてマウス等のポインティングデバイスを用いて不良位置を指示することにより、不良位置及び該不良位置が属する要素画像（不良部品）を入力することができる。また、画面表示されている不良種別の候補の中から該当する不良種別の候補を選択することにより不良種別を入力することができる。即ち、簡易な操作によって不良情報（不良位置、不良位置が属する要素画像（不良部品）、不良種別）を入力することができる。不良入力装置１０から入力された不良情報は、データベースサーバ４０の製品データベース４１に記録される。これにより、修理入力装置２０が設けられる修理部門や、不良集計・表示装置３０が設けられる管理部門等の他部門での利用が可能となる。
【００７５】
上記修理入力装置２０は、修理部門に設けられるコンピュータ装置であり、前記検査工程の周辺などに適当な台数の修理入力装置２０が設けられる。
不良入力装置１０にて入力されて製品データベース４１に記録された不良情報は、装置内の製品データベース２６８から読み出されて画面表示される。即ち、修理対象の製品がバーコード入力によって特定されると、該製品の不良位置が属する要素画像（不良部品の画像）を有する製品画像が表示されて該製品画像上に当該製品の不良位置が修理者が容易に視認可能なようにポイントで表示されるとともに、併せて、不良種別が表示される。
【００７６】
また、修理入力装置２０では、画面表示されている修理内容（例：修理部門で確認した不良症状）の候補の中から該当する候補を選択することにより、修理内容を入力することができる。なお、初期状態では検査部門の不良入力装置１０にて入力された症状が表示されており、確認入力に応答して該症状が修理部門で確認した症状として入力される。検査部門で入力された症状と異なる症状が修理部門で認められた場合は、画面表示されている修理内容（修理部門で確認した不良症状）の候補の中から該当する候補を選択して入力することとなる。このように入力操作が簡易であるため、修理内容（修理部門で確認した不良症状）の入力の手間が大幅に軽減される。修理内容を任意のテキストで入力することも可能である。修理入力装置２０にて入力された修理情報（修理内容，修理済みである旨の情報）は、当該修理対象の製品に対応付けてデータベースサーバ４０の製品データベース４１に記録される。これにより、管理部門等の他部門での利用（修理済みか否かの確認等）が可能となる。
【００７７】
上記不良集計・表示装置３０は、製造・組立等の直接の管理部門や、品質保証部門等の間接の管理部門に設けられるコンピュータ装置である。
不良集計・表示装置３０では、不良入力装置１０にて入力されて製品データベース４１に記録された不良情報や、修理入力装置２０にて入力されて製品データベース４１に記録された修理情報が、製品データベース４１から読み出されて集計される。また、集計結果が画面表示される。
【００７８】
即ち、部品・不良種別をメニューから選択すると、該選択した部品・不良種別の各不良の不良位置が、画面上で容易に視認可能なようにそれぞれポイントとして表示される。また、当該指定した部品・不良種別の不良発生個数が時間を横軸としてグラフ表示される。このため、管理者は、所望の部品・不良種別の不良位置の分布や、所望の部品・不良種別の不良発生の推移を容易に把握することができ、適切な対応を速やかにとることができる。
【００７９】
なお、上記に於いて、各不良位置等の表示に際しては、まず、最新の不良位置が属する不良部品の画像（要素画像）を有する製品画像が表示されて、該製品画像上に、最新の不良と同じ部品・不良種別の各不良位置がそれぞれポイントで表示される。即ち、初期状態では、最新の不良と同じ部品・不良種別の各不良位置が表示される。不良発生の推移を表すグラフについても同様である。これらの表示と併せて表示される部品・不良種別の選択メニューに於いて所望の部品・不良種別を選択することにより、上記のように所望の部品・不良種別の各不良位置や発生の推移を表示させることができる。
【００８０】
以下、不良入力装置１０、修理入力装置２０、不良集計・表示装置３０の順に説明する。また、適宜、データベースサーバ４０について説明する。
【００８１】
（１）不良入力装置１０：
不良入力装置１０は、図２に示すように、キーボード，マウス，バーコード読取装置（不図示）等で構成される入力装置１２、ＣＲＴ又は液晶モニタ等である表示装置１３、ラベルプリンタ等である印刷装置１４、ＲＡＭ等で構成される作業用の主記憶装置１５、ハードディスク等で構成される補助記憶装置１６、ＣＰＵ等で構成される制御装置１１、及びＬＡＮインターフェース１７を有する。
【００８２】
不良入力装置１０は、前記［１］の構成として記載のように、製品を特定する製品情報を入力するための製品情報入力手段を有する。この手段は、例えば、入力装置１２の一例であるバーコード読取装置と、読み取ったバーコードをコンピュータで処理可能な形式のデータに変換してコンピュータに入力する公知の機能とによって実現される。製品情報は、例えば、一意の製品ＩＤ、機種名、製品番号（ロット番号）、製造日、製造ライン等から成り、バーコード形式で各製品にそれぞれ貼付されている。
【００８３】
また、不良入力装置１０は、前記［１］の構成として記載のように、画像記憶手段を有する。画像記憶手段の具体例は、補助記憶装置１６に記憶されている画像関連付けテーブル１６２、画像ファイル群１６３と、要素画像−領域記述式テーブル１６４と、要素画像−優先順位テーブル１６５、要素画像−部品関連付けテーブル１６６である。
【００８４】
上記画像ファイル群１６３は、製品を、各種の視点（例：ズーム前／後（ズームレンズを収納時／突出時、以下、同じ）の各外観正面、ズーム前／後の各外観背面、ズーム前／後の各外観右側面、ズーム前／後の各外観左側面、ズーム前／後の各外観上面、ズーム前／後の各外観底面、レンズ内正面、電池・記録媒体収納部扉開／閉状態の各内部正面、接続端子カバー開／閉状態の各内部正面、等）からデジタルカメラで撮影して得た画像データのファイル群である。なお、本システムでは、製品は「カメラ」であるが、本発明は製品が「カメラ」の場合に限定されない。また、本発明の製品は最終製品に限定されず、部品として出荷される製品であってもよい。また、画像ファイルはデジタルカメラによる撮影画像に限定されず、例えばイラスト等でもよい。製品の各部を詳細に表現できる画像であればよい。
【００８５】
上記各種視点からの画像データは、目視検査上の便宜を考慮して、関連性を有する画像どうしが相互に関連付けられている。例えば、ズーム前の外観正面画像には、ズーム前の外観上面画像、ズーム前の外観右側面画像、ズーム前の外観左側面画像、ズーム前の外観底面画像が関連付けられている。このため、ズーム前の外観正面画像を指定すると、これに関連付けられている各画像（ズーム前の外観上面画像、ズーム前の外観右側面画像、ズーム前の外観左側面画像、ズーム前の外観底面画像）も併せて読み出されて、付随的に表示される。
【００８６】
例えば、図７には、指定された画像であるズーム前の外観正面画像が中央の表示欄に表示され、その周囲四方の各表示欄に、ズーム前の外観正面画像に関連付けられている各画像（ズーム前の外観上面画像（上欄）、ズーム前の外観右側面画像（右欄）、ズーム前の外観左側面画像（左欄）、ズーム前の外観底面画像
（下欄））がそれぞれ付随的に表示された様子が示されている。
【００８７】
また、図８には、指定された画像であるズーム後の外観正面画像が中央の表示欄に表示され、その周囲四方の各表示欄に、ズーム後の外観正面画像に関連付けられている各画像（ズーム後の外観上面画像（上欄）、ズーム後の外観右側面画像（右欄）、ズーム後の外観左側面画像（左欄）、ズーム後の外観底面画像（下欄））がそれぞれ付随的に表示された様子が示されている。
【００８８】
このような画像の関連付けは、画像関連付けテーブル１６２が持つデータによって与えられる。図２４に示すように、画像関連付けテーブル１６２では、主画像の画像ファイル又はその記録アドレスに、上欄表示画像、右欄表示画像、左欄表示画像、下欄表示画像の各画像ファイル又はその記録アドレスが、それぞれ対応付けて記憶されており、これにより、上述の関連付けが可能とされている。
【００８９】
不良入力装置１０は、また、前記［１］の構成として記載のように、指定用画像表示手段と不良位置決定手段を有する。即ち、操作入力で指定された位置指定用画像を画像ファイル１６３から読み出して画面表示し、該位置指定用画像内で検出されるポインタ位置に基づいて不良位置と該不良位置が属する要素画像（不良部品）とを決定する機能を有する。
【００９０】
位置指定用画像内で検出されるポインタ位置が何れの要素画像（部品）に属しているかは、要素画像−領域記述式テーブル１６４と、要素画像−優先順位テーブル１６５のデータを参照して決めることができる。即ち、まず、或る要素画像の領域内にポインタが在るか否かは、当該ポインタの座標が、当該或る要素画像の領域記述式で記述される範囲に在るか否かで判別することができる。この判別には、要素画像−領域記述式テーブル１６４を用いる。また、判別の結果、ポインタが二つ以上の要素画像の領域記述式で記述される範囲に在る場合は、その中で優先順位が最も高い要素画像の領域内に在るとして決める。この決定には、要素画像−優先順位テーブル１６５を用いる。
【００９１】
ここで、要素画像内のポインタの有無を判別する手法と、ポインタが同時に複数の要素画像内に在る場合にその帰属先の要素画像を決める手法を説明する。
製品画像は複数の要素画像（部品の画像）で構成され、各要素画像は１又は２以上の単純図形で構成される。また、各要素画像の領域は、それぞれ当該の要素画像を構成する１又は２以上の単純図形の領域の論理和として定義される。つまり、現在のポインタ位置が、或る要素画像の領域内の座標であるか否かは、当該或る要素画像を構成する何れかの単純図形の領域内の座標であるか否かの問題となり、当該或る要素画像を構成する何れか一つ以上の単純図形の領域記述式により領域内であるとされる場合には、現在のポインタ位置は、当該或る要素画像の領域内の座標であるとされる。この関係を図６上段に示す。図示の例では、要素画像Ａは、図形ａ１・図形ａ２・図形ａ３の合成画像であるため、現在のポインタ位置が、図形ａ１の領域記述式、図形ａ２の領域記述式、図形ａ３の領域記述式の少なくとも一つにより領域内とされた場合には、現在のポインタ位置は要素画像Ａ内にあるとされる。この関係を与えるテーブルが前述の要素画像−領域記述式テーブル１６４である。
【００９２】
製品画像を構成する要素画像（部品の画像）が重複領域を持つ場合には、該重複領域では、優先順位の高い要素画像が採用される。この関係を、図６下段に示す。図示の例では、製品画像Ｂは、要素画像Ｐ・要素画像Ｑ・要素画像Ｒの合成画像である。また、これら要素画像間の優先順位は、Ｐ＞Ｑ＞Ｒである。このため、要素画像Ｐと要素画像Ｑの重複領域では要素画像Ｐが採用される。即ち、要素画像Ｐと要素画像Ｑの重複領域にポインタが在る場合には、該ポインタは、要素画像Ｑの領域に在るとされる。同様に、要素画像Ｐと要素画像Ｒの重複領域では要素画像Ｐが採用され、要素画像Ｑと要素画像Ｒの重複領域では要素画像Ｑが採用され、要素画像Ｐと要素画像Ｑと要素画像Ｒの重複領域では要素画像Ｐが採用される。この関係を与えるテーブルが前述の要素画像−優先順位テーブル１６５である。
【００９３】
以上述べた関係（同一要素画像を構成する単純図形間の関係、一部が重複する異なる要素画像間の関係）に基づいて、現在のポインタ位置が何れの要素画像内に在るかが決められる。換言すれば、現在のポインタ位置が何れの部品を指しているかが決められる。
【００９４】
不良入力装置１０は、また、前記［１］の構成として記載のように、不良種別入力手段を有する。これは、不良種別の候補を保持している不良種別候補ファイル１６１から不良種別を読み出して所定の種別選択ウインドウに画面表示し、該種別選択ウインドウにて操作者の入力操作により選択された不良種別の候補を不良種別として決定する機能である。
【００９５】
種別選択ウインドウは、本システムでは、不良種別候補選択用の各種の押しボタンが表示される領域である。即ち、本システムでは、押しボタン表示領域に画面表示した不良種別入力ボタンの中の何れかが、マウス等のポインティングデバイスの操作入力によって押下されると、当該押しボタンに表示されている不良種別が入力される。不良種別の入力ボタンとしては、図７，図８，図１２等に例示する各種の押しボタン、例えば、締付不良ボタン、取付不良ボタン、整形不良ボタン、接着不良ボタン、印刷不良ボタン、形状不良ボタン、異音ボタン、塗装不良ボタン等を挙げることができる。なお、これらは例示であり、これら以外のボタンを設けてよいことは勿論である。また、不良入力ボタンとしては、不良頻度の高い不良をより簡単な操作で入力し得るように、ワンタッチ外観症状入力ボタンも用意されている。例えば、レンズ糸くずボタン、ストロボ糸くずボタン、キャビバック傷ボタン、モードスイッチ変形ボタン、フラッシュ白ゴミボタン等の押しボタンである。これらの押しボタンは、不良種別とともに不良部品を併せて入力するためのボタンである。
当日分不良データファイル１６８は、当日に発生した不良データを記憶するファイルである。
【００９６】
不良入力装置１０の機能を、図１８と図１９のフローチャートに即して、且つ図１７のフローチャートを適宜に参照して、説明する。
【００９７】
不良入力装置１０は、機種変更時又は電源起動時等に、データベースサーバ４０にアクセスして、画像ファイル群４３等の各種ファイル，テーブルをコピーして、装置１０内の対応ファイル，テーブルを最新の情報に更新する。尚、修理入力装置２０、不良集計・表示装置３０も同様の機能を有する。
システム稼動中に検査者によりバーコード入力が行われると、入力バーコードに対応する製品情報を取得する（Ｓ２１）。即ち、今回の不良情報入力対象の製品を特定する情報を取得する。また、検査者によりキーボードやマウス等で入力された視点を取得する（Ｓ２１）。即ち、今回の製品を特定する情報や、今回の製品の不良位置を入力するために表示するべき製品画像の視点が、検査者によって入力されると、該入力された製品情報や視点を、制御装置１１が取得する。尚、視点は外観正面図をデフォルトとして標準設定してもよい。
【００９８】
次に、ステップＳ２１で取得した製品情報で特定される機種の製品画像を有し且つステップＳ２１で取得した視点に該当している位置指定用画像と、該位置指定用画像に画像関連付けテーブル１６２により関連付けられている位置指定用画像群とを、それぞれの画像ファイルから読み出す（Ｓ２３）。また、読み出した各位置指定用画像を構成する各要素画像内のポインタの有無を検出するためのデータを、要素画像−領域記述式テーブル１６４と、要素画像−優先順位テーブル１６５から、それぞれ読み出す（Ｓ２３）。
【００９９】
次に、ステップＳ２３で読み出した各位置指定用画像を、それぞれの表示領域に表示する（Ｓ２５）。例えば、主画像（ステップＳ２１で取得した製品情報で特定される機種の製品画像を有し且つステップＳ２１で取得した視点に該当する位置指定用画像）は、主画像用の領域である中央の表示領域（図７，図８，図１２でズーム前／後の外観正面画像が表示されている領域）に表示する。また、従画像（主画像に画像関連付けテーブル１６２により関連付けられている位置指定用画像）は、それぞれ対応する従画像領域（図７，図８，図１２で主画像用の領域の上、右、左、下の各領域）に表示する。
【０１００】
次に、不良種別の各候補を不良種別候補ファイル１６１から読み出して（Ｓ２７）、選択可能に種別選択ウインドウに表示する（Ｓ２９）。即ち、前述の締付不良ボタン、取付不良ボタン、整形不良ボタン、接着不良ボタン、印刷不良ボタン、形状不良ボタン、異音ボタン、塗装不良ボタン等の不良種別の入力ボタンとして、また、前述のレンズ糸くずボタン、ストロボ糸くずボタン、キャビバック傷ボタン、モードスイッチ変形ボタン、フラッシュ白ゴミボタン等のワンタッチ外観症状入力ボタンとして、それぞれ表示する。
【０１０１】
ステップＳ３１では、位置指定用画像内の位置が、マウス等からの入力によって指定されたか否かをチェックする。
【０１０２】
位置が指定された場合は（Ｓ３１でＹＥＳ）、該位置を、ステップＳ２１で取得した現在の製品情報に対応付けて、不良位置（要素画像上の座標でＸ−Ｙ座標データ）としてメモリ（ＲＡＭ１５）上に保持する（Ｓ３３）。また、該指定位置が属する要素画像（部品の画像）を先述の手法により決定して、該決定した要素画像（部品の画像）の識別情報を、ステップＳ２１で取得した現在の製品情報に対応付けて、不良部品の要素画像としてメモリ１５上に保持する（Ｓ３３）。
【０１０３】
ステップＳ３５では、不良種別を選択するための押しボタンの何れかが押下されたか否かをチェックする。
【０１０４】
不良種別を選択するための押しボタンの何れかが押下された場合は（Ｓ３５でＹＥＳ）、当該押下された不良種別を、ステップＳ２１で取得した現在の製品情報に対応付けて、不良種別としてメモリ１５上に記憶する（Ｓ３７）。
【０１０５】
次に、メモリ１５上に保持しているデータ（製品情報，不良位置，不良位置が属する要素画像（部品の画像）の識別情報，不良種別）を記録するための確定入力（不図示のＯＫボタンの押下等）の有無をチェックし（Ｓ４１）、確定入力が検出された場合は（Ｓ４１でＹＥＳ）、上記各データ（製品情報，不良位置，不良位置が属する要素画像（部品の画像）の識別情報，不良種別）がメモリ１５上に保持されていることを条件として（Ｓ４３でＹＥＳ）、上記各データを確定してハードディスク１６の当日分不良データファイル１６８に保存すると共に、該ファイル１６８のデータをファイルごとデータベースサーバ４０に送出して、サーバ４０の所定のディレクトリに重ね書き方式で書き込む（Ｓ４５）。このように当日分不良データファイル１６８の内容をファイルごとデータベースサーバ４０に書き込む構成とすることで、書き込み中に通信エラーが発生しても、復旧したときには再度ファイルごと書き込めよく、個々データの更新の有無をチェックする必要がなく便利である。
【０１０６】
データベースサーバ４０は、定期的に前記当日分不良データファイルが書き込まれる所定のディレクトリの更新状態を監視して、更新があった場合（Ｓ０１でＹＥＳ；図１７）、当該製品用のレコードを製品データベース４１に新規に作成して、当該各データ（製品情報，不良位置，不良位置が属する要素画像（部品の画像）の識別情報，不良種別，不良部品）を、当該作成したレコードに記録する（Ｓ０３；図１７）。尚、製品データベース４１において前記記録されたレコードは、当日検出分データ、未修理分データ（発生した不良データのうち、まだ修理が完了していないデータ），修理完了分データに整理されて、それぞれ当日検出分ファイル、未修理分ファイル、修理完了分ファイルに記録される。
【０１０７】
不良入力装置１０は、また、上記各データ（製品情報，不良位置，不良位置が属する要素画像（部品の画像）の識別情報，不良種別，不良部品）を印刷用の不良情報として設定して、ラベルプリンタ１４へ出力する。これにより、ラベルプリンタ１４は、上記各データを修理者が視認可能な態様でラベル上にプリント出力する。このラベルは検査者によって当該製品に貼付される。
【０１０８】
（２）修理入力装置２０：
修理入力装置２０は、図３に示すように、キーボード，マウス，バーコード読取装置（不図示）等で構成される入力装置２２、ＣＲＴ又は液晶モニタ等である表示装置２３、ラベルプリンタ等である印刷装置２４、ＲＡＭ等で構成される作業用の主記憶装置２５、ハードディスク等で構成される補助記憶装置２６、ＣＰＵ等で構成される制御装置２１、及びＬＡＮインターフェース２７を有する。
【０１０９】
修理入力装置２０は、前記［９］の構成として記載のように、修理対象の製品を特定する製品情報を入力するための製品情報入力手段を有する。これは、例えば、入力装置２２の一例であるバーコード読取装置と、読み取ったバーコードをコンピュータで処理可能な形式のデータに変換してコンピュータに入力する公知の機能とによって実現される。製品情報については、前記（１）不良入力装置１０の項で説明したため、ここでの説明は省略する。
【０１１０】
また、修理入力装置２０は、前記［９］の構成として記載のように、画像記憶手段を有する。画像記憶手段の具体例は、補助記憶装置１６に記憶されている画像関連付けテーブル２６２、画像ファイル群２６３と、要素画像−領域記述式テーブル２６４と、要素画像−優先順位テーブル２６５、要素画像−部品関連付けテーブル２６６である。
【０１１１】
上記画像ファイル群２６３は、製品を、各種の視点（例：ズーム前／後の各外観正面、ズーム前／後の各外観背面、ズーム前／後の各外観右側面、ズーム前／後の各外観左側面、ズーム前／後の各外観上面、ズーム前／後の各外観底面、レンズ内正面、電池・記録媒体収納部扉開／閉状態の各内部正面、接続端子カバー開／閉状態の各内部正面、等）からデジタルカメラで撮影して得た画像データのファイル群であり、前記（１）不良入力装置１０の項で説明した画像ファイル群１６３と同じである。
【０１１２】
また、修理入力装置２０は、前記［９］の構成として記載のように、製品データベースを有する。本システムでは、データベースサーバ４０が製品データベースを持つ構成を採用している。
【０１１３】
また、修理入力装置２０は、前記［９］の構成として記載のように、表示用画像表示手段を有する。これは、製品情報入力手段により入力された製品情報で特定される機種の製品画像を有し且つ製品情報入力手段により入力された製品情報に対応する視点に該当する位置表示用画像を、画像ファイル２６３から読み出して表示する機能である。
【０１１４】
例えば、修理対象の製品の不良情報がズーム前の外観右側面を撮影した位置指定用画像（図７内右側表示領域の画像）から入力されていた場合には、当該製品の位置表示用画像としても、図９内左欄中央に示すように、ズーム前の外観右側面を撮影した位置表示用画像が表示される。
【０１１５】
また、修理対象の製品の不良情報がズーム後の外観底面を撮影した位置指定用画像（図８内下側表示領域の画像）から入力されていた場合には、当該製品の位置表示用画像としても、図１０内左欄中央に示すように、ズーム後の外観底面を撮影した位置表示用画像が表示される。
【０１１６】
このように、修理入力装置２０では、不良入力装置１０にて当該製品の不良位置を入力した画像と同じ画像が、不良位置を表示するための画像（位置表示用画像）として表示される。
【０１１７】
修理入力装置２０は、また、前記［９］の構成として記載のように、不良位置表示手段を有する。これは、製品情報入力手段により入力された製品情報に対応する不良情報（不良位置）を製品データベース４１から取得して、表示用画像表示手段により表示した位置表示用画像内に表示する機能である。
【０１１８】
例えば、図７に示すように、修理対象の製品の不良情報がズーム前の外観右側面を撮影した位置指定用画像（図７内右側表示領域の画像）から、同図内のポインタ（矢印）先端位置として入力されていた場合には、図９内左欄中央に示すように、不良位置を入力した位置指定用画像（図７内右側表示領域の画像）と同じ機種・視点の位置表示用画像内の対応する位置に、当該製品の不良位置を示すポイントが表示される。
【０１１９】
同様に、図８に示すように、修理対象の製品の不良情報がズーム後の外観底面を撮影した位置指定用画像（図８内下側表示領域の画像）から、同図内のポインタ（矢印）先端位置として入力されていた場合には、図１０内左欄中央に示すように、不良位置を入力した位置表示用画像（図８内下側表示領域の画像）と同じ機種・視点の位置表示用画像内の対応する位置に、当該製品の不良位置を示すポイントが表示される。
【０１２０】
修理入力装置２０は、また、前記［９］の構成として記載のように、不良種別表示手段を有する。これは、製品情報入力手段により入力された製品情報に対応する不良情報（不良位置が属する要素画像（不良部品）の識別情報，不良種別）を製品データベース４１から取得して、該当する表示欄に表示する機能である。例えば、図９には、症状欄に「電池蓋塗装ハゲ」という不良部品・不良種別が表示された様子が示されている。また、図１０には、症状欄に「キャビ底損傷」という不良部品・不良種別が表示された様子が示されている。
【０１２１】
修理入力装置２０は、また、前記［９］の構成として記載のように、修理内容入力手段を有する。これは、修理部門で修理者が確認した症状（不良）を確認症状欄（図９，図１０参照）から入力するための機能である。初期状態では、検査部門で検査者が確認した症状（不良入力装置１０にて入力された症状）が表示されており、通常は、その症状がそのまま転記される。修理部門で修理者が確認した症状と検査部門で検査者が確認した症状とが異なる場合には、所定の操作入力に応答して症状の候補がプルダウン表示される。修理者は、その中から適宜の症状を選択して入力する。例えば、図１５内左欄には、症状の候補をプルダウン表示した様子が示されている。また、修理入力装置２０の入力画面には、プルダウン表示からの選択入力以外に、図９や図１０に示すように、修理済データのリスト表示欄も設けられており、入力済データの修正・編集やコピー入力ができるように工夫されている。なお、図９や図１０内の修理済データのリスト表示欄に表示されている製品画像及び症状は、既修理分の画像からコピーしたものである。このような表示は、既修理分と同じ画像等を入力する場合に用いられる。
未修理分データファイル２６８は、製品データベース４１の未修理分データファイルをまるごとコピーして記憶しているファイルであり、所定時乃至定期的に更新されるように構成される。
修理完了分データファイル２６９は、修理が完了した不良データを記憶するファイルである。
【０１２２】
修理入力装置２０の機能を、図２０と図２１のフローチャートに即して、且つ図１７のフローチャートを適宜に参照して、説明する。
【０１２３】
まず、修理者がバーコード入力を行うと、修理入力装置２０は、バーコード入力された製品情報を取得する（Ｓ５１）。即ち、今回の修理対象の製品を特定する情報を取得する。さらに、取得した製品情報に対応する不良情報（不良位置、不良位置が属する要素画像（不良部品）の識別情報，不良種別，不良部品）が未修理分データファイル２６８にないかどうかを検索し、見つかれば該不良情報を読み出し、見つからなければ、ＬＡＮを介してデータベースサーバ４０にアクセスして、製品データベース４１の未修理分データをファイルごと読み出し、前記未修理分データファイル２６８に上書きする（Ｓ５１）。
【０１２４】
次に、ステップＳ５１で取得した製品情報で特定される機種の製品画像を有し且つステップＳ５１で取得した視点（視点はデフォルト情報（不良発生率の高い画像）を設定してもよい）に該当する位置表示用画像を画像ファイル２６３から読み出して（Ｓ５３）、位置表示ウインドウ（図９、図１０、図１３内各左欄中央の画像表示領域）に表示し（Ｓ５５）、さらに、ステップＳ５１で取得した不良位置を上記位置表示用画像内に表示する。
【０１２５】
また、ステップＳ５１で取得した不良部品と不良種別を、自動入力／選択入力欄（図１０、図１１、図１３内各右欄上段の領域）内の症状欄に表示する（Ｓ５９）。即ち、修理部門で入力する確認症状（不良）として、検査部門で入力された症状を初期表示する。
【０１２６】
次に、ステップＳ５１で取得した製品情報で特定される機種・視点に対応する修理内容の候補を修理内容候補ファイル２６１から読み出して保持し、所定の操作入力に応答して、図１５内左欄に例示するように、選択可能にプルダウン表示する（Ｓ６１）。また、修理済データのリスト表示欄を表示する（Ｓ６３）。
【０１２７】
図１５内左欄のプルダウン表示中から修理内容の候補が選択されると（Ｓ６５でＹＥＳ）、当該選択された修理内容の候補を、当該製品情報に対応付けて、修理内容としてメモリ上に保持する（Ｓ６７）。上記のプルダウン表示が行われない場合、又は、上記のプルダウン表示中から選択されない場合は、検査部門で入力されて確認症状欄に初期表示されている症状を、修理部門での確認入力症状として当該製品情報に対応付けてメモリ上に保持する（Ｓ６７）。
【０１２８】
修理内容がテキスト入力された場合や、修理箇所を示す画像が入力された場合には（Ｓ６９でＹＥＳ）、該テキストや画像を任意入力の修理内容として、当該製品情報に対応付けてメモリ（ＲＡＭ２５）上に保持する（Ｓ７１）。
【０１２９】
次に、修理入力装置２０から入力されてメモリ２５上に保持されているデータ（確認又は選択された修理内容（症状），任意入力された修理内容、任意入力された画像，修理担当者等の書誌情報）を記録するための確定入力（不図示のＯＫボタンの押下等）の有無をチェックし（Ｓ７３）、確定入力が検出された場合は（Ｓ７３でＹＥＳ）、上記データ中の必須のデータ（確認又は選択された修理内容（症状），修理担当者等の書誌情報）がメモリ２５上に保持されていることを条件として（Ｓ７５でＹＥＳ）、上記各データを確定してハードディスク２６の修理完了分データファイル２６９に保存すると共に、該ファイル２６８のデータをファイルごとデータベースサーバ４０に送出して、サーバ４０の所定のディレクトリに重ね書き方式で書き込む（Ｓ７７）。
【０１３０】
データベースサーバ４０は、定期的に前記所定のディレクトリの更新状態を監視して、修理完了分データの更新があった場合には（Ｓ０５でＹＥＳ；図１７）、当該製品情報で特定されるレコードの該当する項目に記録する（Ｓ０７；図１７）。
【０１３１】
（３）不良集計・表示装置３０：
不良集計・表示装置３０は、図４に示すように、キーボード，マウス等で構成される入力装置３２、ＣＲＴ又は液晶モニタ等である表示装置３３、印刷装置３４、ＲＡＭ等で構成される作業用の主記憶装置３５、ハードディスク等で構成される補助記憶装置３６、ＣＰＵ等で構成される制御装置３１、及びＬＡＮインターフェース３７を有する。
【０１３２】
不良集計・表示入力装置３０は、前記［１５］の構成として記載のように、画像記憶手段を有する。画像記憶手段の具体例は、補助記憶装置３６に記憶されている画像ファイル群３６３である。
【０１３３】
上記画像ファイル群３６３は、製品を、各種の視点（例：ズーム前／後の各外観正面、ズーム前／後の各外観背面、ズーム前／後の各外観右側面、ズーム前／後の各外観左側面、ズーム前／後の各外観上面、ズーム前／後の各外観底面、レンズ内正面、電池・記録媒体収納部扉開／閉状態の各内部正面、接続端子カバー開／閉状態の各内部正面、等）からデジタルカメラで撮影して得た画像データのファイル群であり、前記（１）不良入力装置１０の項で説明した画像ファイル群１６３や、前記（２）修理入力装置２０の項で説明した画像ファイル群２６３と同じである。
【０１３４】
また、不良集計・表示入力装置３０は、前記［１５］の構成として記載のように、製品データベースを有する。本システムでは、データベースサーバ４０の製品データベース４１をまるごとコピーして保存した当日検出分データファイル３６４と、未修理分データファイル３６５と、修理完了分データファイル３６６とを持ち、製品データベース４１に定期的にアクセスして前記各ファイルを更新する構成を採用している。
【０１３５】
また、不良集計・表示入力装置３０は、前記［１５］の構成として記載のように、不良集計手段と、集計不良表示手段を有する。これらは、製品データベース４１から取得した不良情報を、不良部品（不良位置が属する要素画像）毎・不良種別毎に所定期間（例：当日）内で集計して、その集計結果を不良部品毎・不良種別毎に不良選択ウインドウに表示する機能である。
【０１３６】
また、不良集計・表示入力装置３０は、前記［１５］の構成として記載のように、表示不良決定手段を有する。これは、不良集計手段により不良部品毎・不良種別毎に集計した集計結果の中で、何れの不良部品・不良種別の集計結果を、不良位置表示の対象とするかを決定する機能である。初期状態では、最新の不良の不良位置と、不良部品・不良種別が最新の不良と同じである不良の各不良位置とが、それぞれ不良位置表示の対象として決定される。
【０１３７】
また、不良集計・表示入力装置３０は、前記［１５］の構成として記載のように、表示用画像表示手段を有する。これは、表示不良決定手段により決定された不良部品（要素画像）・不良種別の各不良位置を位置表示可能な位置表示用画像を、画像ファイル３６３から読み出して表示する機能である。
【０１３８】
また、不良集計・表示入力装置３０は、前記［１５］の構成として記載のように、不良位置表示手段を有する。これは、表示不良決定手段により決定された不良部品（要素画像）・不良種別の各不良の不良位置を、表示用画像表示手段により表示した位置表示用画像内にそれぞれ表示する機能である。
【０１３９】
例えば、図１１は、不良集計・表示装置３０に於いて、検査３ライン分の集計結果を同時に表示する画面例である。同図内左欄中段には、ズーム前の外観右側面という位置表示用画像内に、当該画像にて表示される部品・不良種別（電池蓋塗装ハゲ）の不良箇所が３箇所表示された様子が示されている。また、同図内中央欄中段には、ズーム後の外観底面という位置表示用画像内に、当該画像にて表示される部品・不良種別（キャビ底損傷）の不良箇所が４箇所表示された様子が示されている。また、同図内右欄中段には、別機種の外観底面という位置表示用画像内に、当該画像にて表示される部品・不良種別（ケース底面打痕）の不良箇所が２箇所表示された様子が示されている。なお、何れの場合も、最新の不良箇所と、それ以前の不良箇所とを、それぞれ別の色（最新を●、他を○）で表示している。
【０１４０】
以下、不良集計・表示装置３０の機能を、図２２と図２３のフローチャートに即して、且つ図１７のフローチャートを適宜に参照して、説明する。
【０１４１】
まず、製品データベース４１の記録データの変動の有無を、データベースサーバ４０にアクセスしてチェックする（Ｓ８１）。このチェックは、所定時間毎に行うものとする。また、変動とは、検査部門での不良情報の確定入力に対応する新規レコードの作成（図１７・Ｓ０３参照）や、修理部門での修理情報の確定入力に対応する修理項目の記録（図１７・Ｓ０７参照）である。
【０１４２】
上記問い合わせの結果、変動が有った場合は（Ｓ８３でＹＥＳ）、当該変動にかかる製品を特定する情報（製品ＩＤ）と、該情報（製品ＩＤ）に対応付けられている情報とをファイルごと取得して、既存のファイルに重ね書きして保持する（Ｓ８５）。取得対象とされる情報は、不良入力装置１０により不良情報が入力されてレコードが新規に作成されたことによる変動の場合（図１７・Ｓ０３の場合）は、当該入力された不良情報の全てである。また、既存のレコードの修理情報の項目に修理情報が記録されたことによる変動の場合（図１７・Ｓ０７の場合）は、当該記録された修理情報である。
【０１４３】
ステップＳ８７では、集計対象（集計対象期間等）の変動の有無を調べる。例えば、（ａ）半日毎に集計をリセットするように設定されている場合は、半日が経過する時刻（例：正午）に集計がリセットされて新たな集計が開始される。また、（ｂ）入力装置３２から集計期間を指定して集計が指令された場合は、当該指令された期間についての集計が行われる。
【０１４４】
集計対象（集計対象期間等）に変動が有った場合は（Ｓ８９でＹＥＳ）、その変動に応じて集計対象を変更し（Ｓ９１）、該変更した集計対象に関して、不良部品毎・不良種別毎に集計を行う（Ｓ９３）。例えば、上記（ａ）の場合であれば、正午に於いてステップＳ８９の判定がＹＥＳとなる。また、上記（ｂ）の場合であれば、入力装置３２から上記旨の入力が行われたときにステップＳ８９の判定がＹＥＳとなる。
【０１４５】
ステップＳ９５では、不良の発生頻度が管理者への報知が必要な程度に多いか否かを調べる。即ち、不良位置が属する要素画像（不良部品）毎且つ不良種別毎の集計結果を、所定の閾値と比較する。
ここで、所定の閾値は、（ａ）不良位置が属する要素画像（不良部品）毎且つ不良種別毎にそれぞれ設定されているとともに、（ｂ）報知すべき管理者に応じてそれぞれ設定されている。
その理由は、（ａ）不良発生に対して直ちに対応すべき部品・不良種別もあれば、不良発生頻度がある程度高くなった時点で対応しても間に合う部品・不良種別もあるということ、及び、（ｂ）不良発生頻度が少しでも高くなると直ちに対応すべき管理者（例：現場責任者）もいれば、不良発生頻度がある程度高くなった時点で対応すべき管理者もいるということにある。
【０１４６】
ステップＳ９５での比較の結果、或る部品・不良種別の発生頻度が、或る管理者の所定の閾値を越えた場合には（Ｓ９７でＹＥＳ）、電子メールや自動音声通報などで当該集計結果を、送信先テーブル３６２に設定した通知先の当該管理者の携帯電話機に宛てて無線ネットワークへ送出する（Ｓ９９）。これにより、当該管理者の携帯電話機に当該集計結果が表示又は自動音声で通知される。したがって、管理者が不良集計・発生装置３０から離れている場合であっても、該管理者は対応をとることが必要な不良を速やかに知ることができる。
【０１４７】
ステップＳ１０１では、表示対象不良の候補を、不良選択ウインドウに選択可能に表示する。例えば、図１１内左欄・中央欄・右欄の各上段には、部品毎・不良種別毎の集計結果である不良発生個数及び頻度が、それぞれ表示対象不良の候補として選択可能に表示された様子が示されている。本システムでは、これらの候補の中から操作者が入力操作によって或る候補を選択すると（Ｓ１０３）、当該選択された候補が表示対象不良として決定される（Ｓ１０５）。なお、操作者による選択が行われない場合は、最新の部品・不良種別が、表示対象不良として決定される（Ｓ１０３，Ｓ１０５）。
【０１４８】
ステップＳ１０７では、表示対象不良として決定されている部品・不良種別の各不良位置を、位置表示用画像上にそれぞれポイントで表示する。
初期状態では、最新に発生した不良の部品・不良種別と同じ部品・不良種別が表示対象不良として決定されているため、該部品・不良種別の不良を表示するための位置表示用画像を読み出して、該位置表示用画像上に当該部品・不良種別の各不良位置をそれぞれ表示する。
【０１４９】
また、操作者によって不良の部品・不良種別が選択された場合は、該選択された部品・不良種別が表示対象不良として決定されるため、該部品・不良種別の不良位置を表示するための位置表示用画像を読み出して、該位置表示用画像上に当該部品・不良種別の各不良位置をそれぞれ表示する。
【０１５０】
例えば、図１１内左欄中段には、最新の不良の「部品・不良種別」が「電池蓋塗装ハゲ」であり、初期状態では「電池蓋塗装ハゲ」という「部品・不良種別」が表示対象不良として決定されているため、該「電池蓋塗装ハゲ」という不良情報を持つ各不良の不良位置がそれぞれ表示された様子が示されている。図示の不良位置中、●で示す不良位置が最新の不良の不良位置であり、○で示す不良位置が過去（集計対象期間内の過去）の不良の不良位置である。
【０１５１】
いま、仮に、図１１内左欄上段（不良選択ウインドウ）にて、操作者が「キャビバック塗装ハゲ」という「部品・不良種別」を選択すると、該「キャビバック塗装ハゲ」という「部品・不良種別」が表示対象不良に決定され、図１１内左欄中段の位置表示用画像が「キャビバック塗装ハゲ」という「部品・不良種別」を表示可能な視点の画像に切り換えられて、該切り換えられた画像上に「キャビバック塗装ハゲ」という不良情報を持つ各不良の不良位置がそれぞれ表示されることになる。
【０１５２】
このように、不良集計・表示装置３０では、操作者が選択した「部品・不良種別」の不良情報を持つ各不良の不良位置が適切な視点の位置表示用画像上にそれぞれポイントとして表示されるため、管理者は、同種の不良の発生度合いや発生箇所の集中度合いを視認でき、容易に不良発生状況を把握することができる。このため、速やかな対応をとることができる。
【０１５３】
また、図１１内左欄・中央欄・右欄の各下段に示すように、不良集計・発生装置３０では、不良発生状況の時間的推移がグラフとして示される。図示の２種類のグラフのうち、ヒストグラムは、表示対象不良として決定された「部品・不良種別」の不良の発生個数を、時間を追って示すグラフである。また、曲線グラフは、全不良の発生頻度を時間を追って示すグラフである。管理者は、これらのグラフから不良発生状況の推移を容易に把握することができる。このため、適切な対応をとることができる。
【０１５４】
【発明の効果】
前記［１］の発明は、製品の目視検査により認められた不良位置と不良種別を入力するための不良入力装置であり、製品を特定する製品情報を入力するための入力手段と、自領域内のポインタ位置検出機能を持つ複数の要素画像から構成される製品画像を所定位置に配して成る位置指定用画像を保持している画像記憶手段と、前記画像記憶手段から位置指定用画像を読み出して位置指定ウインドウに表示する手段と、前記位置指定ウインドウにて入力操作で指定されたポインタ位置を検出して不良位置として決定する手段と、不良種別を入力するための手段と、前記不良位置と前記不良位置を検出した要素画像と前記不良種別とを前記製品情報が指示する製品に対応付けて所定の製品データベースに記憶する手段とを有するため、製品の不良位置を該製品の画像上で指すという簡単な入力操作によって、該不良位置及び部品を入力することができる。
前記［２９］の発明は、コンピュータを、上記の装置として機能させ得る効果を奏する。
【０１５５】
前記［９］の発明は、不良位置と不良種別が表示されている製品に対して施した修理を入力するための修理入力装置であり、製品を特定する製品情報を入力するための手段と、自領域内の位置を指示する機能を持つ複数の要素画像から構成される製品画像を所定位置に配して成る位置表示用画像を保持している画像記憶手段と、不良位置と不良位置を検出した要素画像と不良種別とを製品に対応付けて保持している製品データベースと、前記画像記憶手段から位置表示用画像を読み出して位置表示ウインドウに表示する手段と、前記製品情報が指示する製品に対応付けられている不良位置と不良位置を検出した要素画像とを前記製品データベースから取得して前記位置表示ウインドウに表示される位置表示用画像上に表示する手段と、前記製品情報が指示する製品に対応付けられている不良種別を前記製品データベースから取得して種別表示ウインドウに表示する手段と、修理内容を入力するための修理内容入力手段と、前記修理内容を前記製品情報が指示する製品に対応付けて前記製品データベースに記憶する手段とを有するため、製品の不良位置を該製品の画像上で視認することができ且つ不良種別を知ることができる。このため、不良箇所や不良種別の把握が用意であり、適切な修理を行ってその内容を入力することができる。
前記［３７］の発明は、コンピュータを、上記の装置として機能させ得る効果を奏する。
【０１５６】
前記［１５］の発明は、集計対象の製品の不良を集計して集計結果と不良位置を表示するための不良表示装置であり、自領域内の位置を指示する機能を持つ複数の要素画像から構成される製品画像を所定位置に配して成る位置表示用画像を保持している画像記憶手段と、不良位置と不良位置を検出した要素画像と不良種別とを製品に対応付けて保持している製品データベースと、集計対象の各製品に対応付けられている不良種別と不良位置と不良位置を検出した要素画像とを前記製品データベースから取得して不良種別毎に且つ不良位置を検出した要素画像毎に集計する手段と、前記集計結果を不良選択ウインドウに不良種別毎且つ不良位置を検出した要素画像毎に選択可能に表示する手段と、前記不良選択ウインドウにて入力操作で選択された不良種別且つ不良位置を検出した要素画像を表示対象不良として決定する手段と、前記画像記憶手段から位置表示用画像を読み出して位置表示ウインドウに表示する手段と、集計対象の各製品に対応付けられている不良位置であって前記表示対象不良に該当する不良位置を前記製品データベースから取得して前記位置表示ウインドウに表示される位置表示用画像上にそれぞれ表示する手段とを有するため、ユーザが入力操作により選択した不良種別と要素画像（部品）に関して、集計対象期間内の各不良位置を、製品画像上で容易に視認することができる。
前記［４３］の発明は、コンピュータを、上記の装置として機能させ得る効果を奏する。
【０１５７】
前記［２１］の発明は、不良入力装置に於いて製品画像上で入力し、不良集計装置で集計した製品不良の集計結果を、無線ネットワークを介して不良表示装置へ送信して、該不良表示装置にて表示する製品不良報知システムであるため、不良表示機能を持つ不良集計装置から管理者が離れている場合でも、速やかに不良情報を知らせることができる。
前記［４９］と［５１］の発明は、コンピュータを、上記のシステムとして機能させ得る効果を奏する。
【０１５８】
前記［２５］の発明は、製品の不良情報を製品画像上で入力して製品データベースに記憶するための不良入力装置と、前記製品データベースが設けられているサーバ装置と、前記サーバ装置から取得した修理対象製品の不良情報を製品画像上に表示するとともに修理内容を入力するための修理入力装置と、前記サーバ装置から取得した集計対象製品の不良情報を集計して製品画像上に表示する不良表示装置とを、ＬＡＮを介してデータ送受信可能に接続して成る製品不良処理システムであるため、検査結果の不良情報を各部門で容易に利用することが可能となり、不良に対する速やかな対応が可能となる。
前記［５３］と［５５］の発明は、コンピュータを、上記のシステムとして機能させ得る効果を奏する。
【図面の簡単な説明】
【図１】実施の形態の製品不良処理システムの構成を示すブロック図。
【図２】図１内の不良入力装置１０の構成を示すブロック図。
【図３】図１内の修理入力装置２０の構成を示すブロック図。
【図４】図１内の不良集計・装置の構成を示すブロック図。
【図５】上段は図１内のデータベースサーバ４０が持つ製品データベース４１の構成を示す説明図、下段左は図２内の要素画像−領域記述式テーブル１６４の構成を示す説明図、下段右は要素画像−優先順位テーブル１６５の構成を示す説明図。
【図６】複数の単純図形で要素画像を構成する様子を示す説明図（上段）と、複数の要素画像で製品画像を構成する様子を示す説明図（下段）。
【図７】不良情報入力画面の説明図。
【図８】不良情報入力画面の説明図。図７とは視点が異なる位置指定用画像を選択して表示した場合を示す。
【図９】修理情報入力画面の説明図。図７の画面で不良情報が入力された製品を修理する場合を示す。
【図１０】修理情報入力画面の説明図。図８の画面で不良情報が入力された製品を修理する場合を示す。
【図１１】不良集計・表示画面の説明図。
【図１２】不良情報入力画面の一具体例を示す説明図。
【図１３】修理情報画面の一具体例を示す説明図。
【図１４】図１３の自動入力／選択入力欄の詳細説明図。
【図１５】図１４の要部の詳細説明図。
【図１６】不良集計・表示画面の一具体例を示す説明図。
【図１７】データベースサーバ４０での手順を示すフローチャート。
【図１８】不良入力装置１０での手順を示すフローチャートの一部。
【図１９】不良入力装置１０での手順を示すフローチャートの残部。
【図２０】修理入力装置２０での手順を示すフローチャートの一部。
【図２１】修理入力装置２０での手順を示すフローチャートの残部。
【図２２】不良集計・表示装置３０での手順を示すフローチャートの一部。
【図２３】不良集計・表示装置３０での手順を示すフローチャートの残部。
【図２４】図２内の画像関連付けテーブル１６２の構成を例示する説明図。
【符号の説明】
１０  不良入力装置
２０  修理入力装置
３０  不良集計・表示装置
４０  データベースサーバ
４１  製品データベース
４２、１６２、２６２  画像関連付けテーブル
４３、１６３、２６３、３６３  画像ファイル群
４４、１６４、２６４  要素画像−領域記述式テーブル
４５、１６５、２６５  要素画像−優先順位テーブル
４６、１６６、２６６  要素画像−部品関連付けテーブル
４７、１６１  不良種別候補ファイル
４８、２６１  修理内容候補ファイル
５０  ネットワーク（ＬＡＮ、無線ＬＡＮ、インターネットを含む）
５１〜５４  携帯電話機
【図１】
2004206352.tif 000003
【図２】
2004206352.tif 000004
【図３】
2004206352.tif 000005
【図４】
2004206352.tif 000006
【図５】
2004206352.tif 000007
【図６】
2004206352.tif 000008
【図７】
2004206352.tif 000009
【図８】
2004206352.tif 000010
【図９】
2004206352.tif 000011
【図１０】
2004206352.tif 000012
【図１１】
2004206352.tif 000013
【図１２】
2004206352.tif 000014
【図１３】
2004206352.tif 000015
【図１４】
2004206352.tif 000016
【図１５】
2004206352.tif 000017
【図１６】
2004206352.tif 000018
【図１７】
2004206352.tif 000019
【図１８】
2004206352.tif 000020
【図１９】
2004206352.tif 000021
【図２０】
2004206352.tif 000022
【図２１】
2004206352.tif 000023
【図２２】
2004206352.tif 000024
【図２３】
2004206352.tif 000025
【図２４】
2004206352.tif 000026